(57)【特許請求の範囲】
【請求項１】
ユーザ機器（ＵＥ）によって、第１のサブフレームにおいて第１のチャネルを決定する段階であって、前記第１のチャネルは、第１のタイミングアドバンスグループ（第１のＴＡＧ）に属し、前記第１のＴＡＧは、第１の基地局又は第１のセルグループのＴＡＧである、段階と、
前記ＵＥによって、ｎ個の第２のサブフレームにおいてｎ個の第２のチャネルを決定する段階であって、前記ｎ個の第２のチャネルは、少なくとも１つの第２のＴＡＧに属し、前記少なくとも１つの第２のＴＡＧは、第１のセットに属し、前記第１のセットは、前記第１の基地局又は第１のセルグループの前記第１のＴＡＧを除くＴＡＧと、第２の基地局又は第２のセルグループの全てのＴＡＧとを含み、ｎ≧１であり、ｎは正の整数である、段階と、
前記ＵＥによって、前記第１のチャネルに必要な送信電力と、前記ｎ個の第２のチャネルに必要な送信電力とに従って、少なくとも前記第１のチャネルに送信電力を割り当てる段階と、
前記ＵＥによって、前記第１のチャネルに割り当てられた前記送信電力に従って、前記第１のチャネルにおいて、前記第１の基地局又は第１のセルグループにデータを送信する段階と、
を備え、
前記送信電力を割り当てる段階は、
（ｉ）前記第１のチャネルがショートフォーマットＰＵＣＣＨ（物理アップリンク制御チャネル）であり、前記ＰＵＣＣＨが位置するサブフレームの最後のシンボルにおいてサウンディング参照信号（ＳＲＳ）が送信されない場合、
（ｉｉ）前記第１のチャネルがＰＵＳＣＨ（物理アップリンク共有チャネル）であり、かつ、最後のシンボルの送信電力が前記第１のサブフレームの他のシンボルの送信電力と異なる場合、または
（ｉｉｉ）前記第２のチャネルの第１のシンボルの送信電力が、前記第２のチャネルが位置する前記第２のサブフレームのシンボルの電力と異なる場合に、
重複時間が事前設定された閾値よりも短い又は等しい場合には、前記第１のチャネルに電力を割り当てる場合に、前記第２のチャネルを考慮しない、電力割り当て方法。
【請求項２】
前記ｎ個の第２のチャネルを決定する段階は、事前設定された閾値より長いもしくはこれに等しい前記第１のサブフレームとの重複時間を有するｍ個の第２のサブフレームを決定する段階を含み、
ｎ≧ｍ≧１であり、ｍ、ｎは正の整数である、請求項１に記載の電力割り当て方法。
【請求項３】
前記ＵＥによって、前記第１のチャネルに必要な送信電力と、前記ｎ個の第２のチャネルに必要な送信電力とに従って、少なくとも前記第１のチャネルに送信電力を割り当てる段階は、
前記第１のチャネルに必要な前記送信電力と前記ｎ個の第２のチャネルに必要な前記送信電力とにより、前記ＵＥの合計送信電力が前記ＵＥの最大送信電力より大きくなる場合に、前記ＵＥによって、前記第１のチャネルの優先度及び前記ｎ個の第２のチャネルの優先度に従って、少なくとも前記第１のチャネルに前記送信電力を割り当てる段階を含む、
請求項１または２に記載の電力割り当て方法。
【請求項４】
前記第１のサブフレームのサブフレーム番号がｉであり、ｍ個の第２のサブフレームにあり、かつ、終了時点が前記第１のサブフレームと重複する全ての第２のサブフレームのサブフレーム番号がｊであり、前記ｍ個の第２のサブフレームにあり、かつ、開始時点が前記第１のサブフレームと重複する第２のサブフレームのサブフレーム番号がｊ＋１であり、サブフレーム番号がｊである前記第２のサブフレームと、サブフレーム番号がｊ＋１である前記第２のサブフレームとが前記第２の基地局又は第２のセルグループに属する場合に、前記ＵＥによって、前記第１のチャネルに必要な送信電力と、前記ｎ個の第２のチャネルに必要な送信電力とに従って、少なくとも前記第１のチャネルに送信電力を割り当てる段階は、
サブフレーム番号がｉである前記サブフレームにおけるチャネルの優先度と、サブフレーム番号がｊである前記サブフレームにおける少なくとも１つの第２のチャネルの優先度とに従って、前記ＵＥによって、サブフレーム番号がｉである前記第１のサブフレームにおける前記第１のチャネルの第１の予め割り当てられた送信電力と、サブフレーム番号がｊである前記サブフレームにおける前記少なくとも１つの第２のチャネルの第２の予め割り当てられた送信電力とを決定する段階であって、前記第１の予め割り当てられた送信電力及び前記第２の予め割り当てられた送信電力により、前記ＵＥの前記合計送信電力が、前記ＵＥの前記最大送信電力より小さく又はこれに等しくなる、段階と、
前記ＵＥによって、サブフレーム番号がｉである前記サブフレームにおける前記チャネルの前記優先度と、サブフレーム番号がｊ＋１である前記サブフレームにおける少なくとも１つの第２のチャネルの優先度とに従って、サブフレーム番号がｉである前記第１のサブフレームにおける前記第１のチャネルの第３の予め割り当てられた送信電力と、サブフレーム番号がｊ＋１である前記サブフレームにおける前記少なくとも１つの第２のチャネルの第４の予め割り当てられた送信電力とを決定する段階であって、前記第３の予め割り当てられた送信電力及び前記第４の予め割り当てられた送信電力により、前記ＵＥの前記合計送信電力が、前記ＵＥの前記最大送信電力より小さく又はこれに等しくなる、段階と、
前記ＵＥによって、前記第１の予め割り当てられた送信電力及び前記第３の予め割り当てられた送信電力において、より小さい予め割り当てられた送信電力を、少なくとも前記第１のチャネルに割り当てられた前記送信電力として用いる段階と、
を含む、請求項３に記載の電力割り当て方法。
【請求項５】
サブフレーム番号がｊ＋１である前記サブフレームにおける前記少なくとも１つの第２のチャネルの前記優先度は、サブフレーム番号がｉである前記第１のサブフレームにおける前記第１のチャネルの前記優先度より高い又はこれに等しい、及び、サブフレーム番号がｊ＋１である前記サブフレームにおける前記少なくとも１つの第２のチャネルの前記優先度は、サブフレーム番号がｉ＋１であるサブフレームにおけるチャネルの優先度より高い、の少なくとも１つであり、サブフレーム番号がｉ＋１である前記サブフレームにおける前記チャネルは、サブフレーム番号がｉである前記第１のサブフレームの次のサブフレームにおけるチャネルである、請求項４に記載の電力割り当て方法。
【請求項６】
ユーザ機器ＵＥによって、第１のサブフレームにおいて第１のチャネルを決定する段階は、前記ＵＥによって、事前設定された条件に従って、前記第１のサブフレームにおいて前記第１のチャネルを決定する段階を含む、請求項１から５のいずれか１項に記載の電力割り当て方法。
【請求項７】
前記事前設定された条件は、前記第１の基地局又は第１のセルグループにあり、かつ、サブフレーム番号が前記第１のサブフレームのサブフレーム番号と同じであるサブフレームにあるチャネルの優先度、又は、前記第１の基地局又は第１のセルグループにあり、かつ、サブフレーム番号が前記第１のサブフレームのサブフレーム番号と同じであるサブフレームにあるチャネルの送信時間を含み、
前記ＵＥによって、前記事前設定された条件に従って、前記第１のＴＡＧにあり、かつ、前記第１のサブフレームにある前記第１のチャネルを決定する段階は、
前記ＵＥによって、前記第１の基地局又は第１のセルグループにあり、かつ、サブフレーム番号が前記第１のサブフレームのサブフレーム番号と同じである前記サブフレームにある前記チャネルの前記優先度に従って、前記第１のチャネルとして、前記第１の基地局又は第１のセルグループにあり、かつ、サブフレーム番号が前記第１のサブフレームのサブフレーム番号と同じ前記サブフレームにおいて最も高い優先度を有する少なくとも１つのチャネルの１つを決定する段階、又は、
前記ＵＥによって、前記第１の基地局又は第１のセルグループにあり、かつ、サブフレーム番号が前記第１のサブフレームのサブフレーム番号と同じである前記サブフレームにある前記チャネルの前記送信時間に従って、前記第１のチャネルとして、前記第１の基地局又は第１のセルグループにあり、かつ、サブフレーム番号が前記第１のサブフレームのサブフレーム番号と同じである前記サブフレームにおいて送信された最初の又は最後のチャネルであるチャネルを決定する段階であって、前記第１のチャネルが位置するサブフレームは、前記第１のサブフレームであり、前記第１のチャネルが位置するＴＡＧは、前記第１のＴＡＧである、段階を含む、
請求項６に記載の電力割り当て方法。
【請求項８】
前記事前設定された閾値は、前記第１の基地局又は前記第２の基地局によってシグナリングを用いることによって送信される、又は、予め定められる、請求項１から７のいずれか１項に記載の電力割り当て方法。
【請求項９】
基地局によって、事前設定された閾値を決定する段階と、
前記基地局によって、前記事前設定された閾値をユーザ機器ＵＥに送信する段階であって、これにより、前記ＵＥは、第１のサブフレームにおいて第１のチャネルを決定し、前記事前設定された閾値に従って、前記第１のサブフレームと重複時間を有するｍ個の第２のサブフレームにおいてｍ個の第２のチャネルを決定し、前記第１のチャネルに必要な送信電力と、ｎ個の第２のチャネルに必要な送信電力とに従って、少なくとも前記第１のチャネルに送信電力を割り当て、ｎ≧ｍ≧１であり、ｍ、ｎは正の整数である、段階と、
を備え、
前記送信電力を割り当てる段階は、
（ｉ）前記第１のチャネルがショートフォーマットＰＵＣＣＨ（物理アップリンク制御チャネル）であり、前記ＰＵＣＣＨが位置するサブフレームの最後のシンボルにおいてサウンディング参照信号（ＳＲＳ）が送信されない場合、
（ｉｉ）前記第１のチャネルがＰＵＳＣＨ（物理アップリンク共有チャネル）であり、かつ、最後のシンボルの送信電力が前記第１のサブフレームの他のシンボルの送信電力と異なる場合、または
（ｉｉｉ）前記第２のチャネルの第１のシンボルの送信電力が、前記第２のチャネルが位置する前記第２のサブフレームのシンボルの電力と異なる場合に、
前記重複時間が事前設定された閾値よりも短い又は等しい場合には、前記第１のチャネルに電力を割り当てる場合に、前記第２のチャネルを考慮しない、電力割り当て方法。
【請求項１０】
前記事前設定された閾値は、前記事前設定された閾値をシグナリングに追加することによって、前記事前設定された閾値を送信する方法を用いることによって送信される、請求項９に記載の電力割り当て方法。
【請求項１１】
第１のサブフレームにおいて第１のチャネルを決定し、ｎ個の第２のサブフレームにおいてｎ個の第２のチャネルを決定し、前記第１のチャネルに必要な送信電力と、前記ｎ個の第２のチャネルに必要な送信電力とに従って、少なくとも前記第１のチャネルに送信電力を割り当てるプロセッサであって、前記第１のチャネルは、第１のタイミングアドバンスグループ（第１のＴＡＧ）に属し、前記第１のＴＡＧは、第１の基地局又は第１のセルグループのＴＡＧであり、前記ｎ個の第２のチャネルは、少なくとも１つの第２のＴＡＧに属し、前記少なくとも１つの第２のＴＡＧは、第１のセットに属し、前記第１のセットは、前記第１の基地局又は第１のセルグループの前記第１のＴＡＧを除くＴＡＧと、第２の基地局又は第２のセルグループの全てのＴＡＧとを含み、ｎ≧１であり、ｎは正の整数である、プロセッサと、
前記プロセッサによって前記第１のチャネルに割り当てられた前記送信電力に従って、前記第１のチャネルにおいて、前記第１の基地局又は第１のセルグループにデータを送信する送信機と、
を備え、
前記プロセッサは、
（ｉ）前記第１のチャネルがショートフォーマットＰＵＣＣＨ（物理アップリンク制御チャネル）であり、前記ＰＵＣＣＨが位置するサブフレームの最後のシンボルにおいてサウンディング参照信号（ＳＲＳ）が送信されない場合、
（ｉｉ）前記第１のチャネルがＰＵＳＣＨ（物理アップリンク共有チャネル）であり、かつ、最後のシンボルの送信電力が前記第１のサブフレームの他のシンボルの送信電力と異なる場合、または
（ｉｉｉ）前記第２のチャネルの第１のシンボルの送信電力が、前記第２のチャネルが位置する前記第２のサブフレームのシンボルの電力と異なる場合に、
重複時間が事前設定された閾値よりも短い又は等しい場合には、前記第１のチャネルに電力を割り当てる場合に、前記第２のチャネルを考慮しない、ユーザ機器（ＵＥ）。
【請求項１２】
前記プロセッサは、事前設定された閾値より長いもしくはこれに等しい前記第１のサブフレームとの重複時間を有するｍ個の第２のサブフレームを決定し、
ｎ≧ｍ≧１であり、ｍ、ｎは正の整数である、請求項１１に記載のＵＥ。
【請求項１３】
前記プロセッサは、前記第１のチャネルに必要な前記送信電力と前記ｎ個の第２のチャネルに必要な前記送信電力とにより、前記ＵＥの合計送信電力が前記ＵＥの最大送信電力より大きくなる場合に、前記第１のチャネルの優先度及び前記ｎ個の第２のチャネルの優先度に従って、少なくとも前記第１のチャネルに前記送信電力を割り当てる、請求項１１または１２に記載のＵＥ。
【請求項１４】
前記第１のサブフレームのサブフレーム番号がｉであり、ｍ個の第２のサブフレームにあり、かつ、終了時点が前記第１のサブフレームと重複する全ての第２のサブフレームのサブフレーム番号がｊであり、前記ｍ個の第２のサブフレームにあり、かつ、開始時点が前記第１のサブフレームと重複する第２のサブフレームのサブフレーム番号がｊ＋１であり、サブフレーム番号がｊである前記第２のサブフレームと、サブフレーム番号がｊ＋１である前記第２のサブフレームとが前記第２の基地局又は第２のセルグループに属する場合に、
前記プロセッサは、サブフレーム番号がｉである前記サブフレームにおけるチャネルの優先度と、サブフレーム番号がｊである前記サブフレームにおける少なくとも１つの第２のチャネルの優先度とに従って、サブフレーム番号がｉである前記第１のサブフレームにおける前記第１のチャネルの第１の予め割り当てられた送信電力と、サブフレーム番号がｊである前記サブフレームにおける前記少なくとも１つの第２のチャネルの第２の予め割り当てられた送信電力とを決定し、サブフレーム番号がｉである前記サブフレームにおける前記チャネルの前記優先度と、サブフレーム番号がｊ＋１である前記サブフレームにおける少なくとも１つの第２のチャネルの優先度とに従って、サブフレーム番号がｉである前記第１のサブフレームにおける前記第１のチャネルの第３の予め割り当てられた送信電力と、サブフレーム番号がｊ＋１である前記サブフレームにおける前記少なくとも１つの第２のチャネルの第４の予め割り当てられた送信電力とを決定し、前記第１の予め割り当てられた送信電力及び前記第３の予め割り当てられた送信電力において、より小さい予め割り当てられた送信電力を、少なくとも前記第１のチャネルに割り当てられた前記送信電力として用い、
前記第１の予め割り当てられた送信電力及び前記第２の予め割り当てられた送信電力により、前記ＵＥの前記合計送信電力が、前記ＵＥの前記最大送信電力より小さく又はこれに等しくなり、前記第３の予め割り当てられた送信電力及び前記第４の予め割り当てられた送信電力により、前記ＵＥの前記合計送信電力が、前記ＵＥの前記最大送信電力より小さく又はこれに等しくなる、
請求項１３に記載のＵＥ。
【請求項１５】
前記プロセッサによって決定され、かつ、サブフレーム番号がｊ＋１である前記サブフレームにある前記少なくとも１つの第２のチャネルの前記優先度は、サブフレーム番号がｉである前記第１のサブフレームにある前記第１のチャネルの前記優先度より高い又はこれに等しい、及び、サブフレーム番号がｊ＋１である前記サブフレームにおける前記少なくとも１つの第２のチャネルの前記優先度は、サブフレーム番号がｉ＋１であるサブフレームにおけるチャネルの優先度より高い、の少なくとも１つであり、サブフレーム番号がｉ＋１である前記サブフレームにおける前記チャネルは、サブフレーム番号がｉである前記第１のサブフレームの次のサブフレームにおけるチャネルである、請求項１４に記載のＵＥ。
【請求項１６】
前記プロセッサは、事前設定された条件に従って、前記第１のサブフレームにおいて前記第１のチャネルを決定する、請求項１１から１５のいずれか１項に記載のＵＥ。
【請求項１７】
前記事前設定された条件は、前記第１の基地局又は第１のセルグループにあり、かつ、サブフレーム番号が前記第１のサブフレームのサブフレーム番号と同じであるサブフレームにあるチャネルの優先度、又は、前記第１の基地局又は第１のセルグループにあり、かつ、サブフレーム番号が前記第１のサブフレームのサブフレーム番号と同じであるサブフレームにあるチャネルの送信時間を含み、
前記プロセッサは、前記第１の基地局又は第１のセルグループにあり、かつ、サブフレーム番号が前記第１のサブフレームのサブフレーム番号と同じである前記サブフレームにある前記チャネルの前記優先度に従って、前記第１のチャネルとして、前記第１の基地局又は第１のセルグループにあり、かつ、サブフレーム番号が前記第１のサブフレームのサブフレーム番号と同じ前記サブフレームにおいて最も高い優先度を有する少なくとも１つのチャネルの１つを決定する、又は、前記第１の基地局又は第１のセルグループにあり、かつ、サブフレーム番号が前記第１のサブフレームのサブフレーム番号と同じである前記サブフレームにある前記チャネルの前記送信時間に従って、前記第１のチャネルとして、前記第１の基地局又は第１のセルグループにあり、かつ、サブフレーム番号が前記第１のサブフレームのサブフレーム番号と同じである前記サブフレームにおいて送信された最初の又は最後のチャネルであるチャネルを決定し、前記第１のチャネルが位置するサブフレームは、前記第１のサブフレームであり、前記第１のチャネルが位置するＴＡＧは、前記第１のＴＡＧである、
請求項１６に記載のＵＥ。
【請求項１８】
前記事前設定された閾値は、前記第１の基地局又は前記第２の基地局によってシグナリングを用いることによって送信される、又は、予め定められる、請求項１１から１７のいずれか１項に記載のＵＥ。
【請求項１９】
事前設定された閾値を決定するプロセッサと、
前記プロセッサによって決定された前記事前設定された閾値をユーザ機器ＵＥに送信する送信機であって、これにより、前記ＵＥは、第１のサブフレームにおいて第１のチャネルを決定し、前記事前設定された閾値に従って、前記第１のサブフレームと重複時間を有するｍ個の第２のサブフレームにおいてｍ個の第２のチャネルを決定し、前記第１のチャネルに必要な送信電力と、ｎ個の第２のチャネルに必要な送信電力とに従って、少なくとも前記第１のチャネルに送信電力を割り当て、ｎ≧ｍ≧１であり、ｍ、ｎは正の整数である、送信機と、
を備え、
前記ＵＥは、
（ｉ）前記第１のチャネルがショートフォーマットＰＵＣＣＨ（物理アップリンク制御チャネル）であり、前記ＰＵＣＣＨが位置するサブフレームの最後のシンボルにおいてサウンディング参照信号（ＳＲＳ）が送信されない場合、
（ｉｉ）前記第１のチャネルがＰＵＳＣＨ（物理アップリンク共有チャネル）であり、かつ、最後のシンボルの送信電力が前記第１のサブフレームの他のシンボルの送信電力と異なる場合、または
（ｉｉｉ）前記第２のチャネルの第１のシンボルの送信電力が、前記第２のチャネルが位置する前記第２のサブフレームのシンボルの電力と異なる場合に、
重複時間が事前設定された閾値よりも短い又は等しい場合には、前記第１のチャネルに電力を割り当てる場合に、前記第２のチャネルを考慮しない、基地局。
【請求項２０】
前記事前設定された閾値は、送信のためにシグナリングにおいて伝送される、請求項１９に記載の基地局。
【発明の詳細な説明】
【技術分野】
【０００１】
本発明は、無線通信分野に関し、具体的には、電力割り当て方法及び装置に関する。
【背景技術】
【０００２】
現在、基地局間キャリアアグリゲーション技術がＬＴＥ−Ａ（Ｌｏｎｇ  Ｔｅｒｍ  Ｅｖｏｌｕｔｉｏｎ−Ａｄｖａｎｃｅｄ、ロングタームエボリューションアドバンスド）システムに導入されている。基地局間キャリアアグリゲーション技術は、デュアル接続技術と称されることもある。デュアル接続技術において、キャリアアグリゲーションを実行する２つの基地局の間でのデータ送信は理想的なバックホールではないことから、その２つの基地局によってＵＥ（ユーザ機器、ｕｓｅｒ  ｅｑｕｉｐｍｅｎｔ）に送信されるダウンリンクサブフレームの開始時点は、非同期（非同期デュアル接続シナリオ）となることがあり、すなわち、２つの基地局のダウンリンクサブフレームの開始時点の間にいくらかの時間差が存在することがある。さらに、各基地局は、複数の異なるＴＡＧ（タイミングアドバンスグループ、ｔｉｍｉｎｇ  ａｄｖａｎｃｅ  ｇｒｏｕｐ）に対応するアップリンクサブフレームを受信することがある。従って、ＵＥによって２つの基地局に送信されるアップリンクサブフレームの開始時点の間にも、いくらかの時間差が存在することがあり、すなわち、これらのアップリンクサブフレームの間に重複時間が存在することがある。重複時間は、非固定値である。ＴＡＧはセルグループであり、そのグループの複数のセルにおけるＵＥのアップリンク送信チャネルは、同じタイミングを有する。２つのチャネルのセルが同じＴＡＧに属する場合、その２つのチャネルは、同じアップリンク送信タイミングアドバンスを有し、その２つのチャネルは、同じアップリンク送信タイミングを有する。異なるＴＡＧは異なるタイミングアドバンスを有し、従って、各ＴＡＧは、異なるアップリンク送信時間を有することがある。
【０００３】
従来技術では、前述の非同期デュアル接続シナリオにおいて、ＵＥがアップリンクサブフレームを２つの基地局に送信する前に、ＵＥは、ＵＥと２つの基地局との間でデータ送信を実装するように、アップリンクサブフレームにおけるアップリンクチャネルに送信電力を割り当てる必要がある。複数のアップリンクサブフレームの間には重複時間が存在し、重複時間は非固定値である。従って、基地局のＴＡＧにあり、かつ、アップリンクサブフレームにあるアップリンクチャネルに送信電力を割り当てる場合、ＵＥは、２つの基地局の全てのＴＡＧにあり、かつ、アップリンクサブフレームと重複時間を有する全てのアップリンクサブフレームにあるアップリンクチャネルの送信電力を考慮する必要がある。
【０００４】
しかしながら、基地局のＴＡＧにあり、かつ、アップリンクサブフレームにあるアップリンクチャネルに送信電力を割り当てる場合、ＵＥは、２つの基地局の全てのＴＡＧにあり、かつ、アップリンクサブフレームと重複時間を有する全てのアップリンクサブフレームにあるアップリンクチャネルの送信電力を考慮する必要がある。従って、非同期デュアル接続シナリオにおいて、ＵＥは、極めて複雑な解決手段を用いることによって、基地局のＴＡＧにあり、かつ、アップリンクサブフレームにあるアップリンクチャネルに送信電力を割り当てることになり、これは、実装において比較的大きな困難をもたらす。
【発明の概要】
【０００５】
本発明の複数の実施形態は、電力割り当て方法及び装置を提供し、これは、非同期デュアル接続シナリオにおいて、ＵＥによる、基地局のＴＡＧにあり、かつアップリンクサブフレームにあるアップリンクチャネルへの送信電力の割り当ての複雑さを低減することができ、実装が容易である。
【０００６】
前述の目的を実現すべく、本発明の複数の実施形態において、以下の技術的解決手段が用いられる。
【０００７】
第１の態様に従って、本発明の実施形態は、電力割り当て方法を提供し、当該方法は、
ユーザ機器ＵＥによって、第１のサブフレームにおいて第１のチャネルを決定する段階であって、第１のチャネルは、第１のタイミングアドバンスグループＴＡＧに属し、第１のＴＡＧは、第１の基地局／第１のセルグループのＴＡＧである、段階と、
ＵＥによって、ｎ個の第２のサブフレームにおいてｎ個の第２のチャネルを決定する段階であって、ｎ個の第２のチャネルは、ｎ個の第２のサブフレームのｍ個の第２のサブフレームにおいてｍ個の第２のチャネル、及び／又は、サブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である、段階と、
ＵＥによって、第１のチャネルに必要な送信電力と、ｎ個の第２のチャネルに必要な送信電力とに従って、少なくとも第１のチャネルに送信電力を割り当てる段階と、ＵＥによって、第１のチャネルに割り当てられた送信電力に従って、第１のチャネルにおいて、第１の基地局／第１のセルグループにデータを送信する段階と、
を含む。
【０００８】
第１の態様の第１の適用可能な実装態様において、ＵＥによって、第１のチャネルに必要な送信電力と、ｎ個の第２のチャネルに必要な送信電力とに従って、少なくとも第１のチャネルに送信電力を割り当てる段階は、具体的には、
第１のチャネルに必要な送信電力とｎ個の第２のチャネルに必要な送信電力とにより、ＵＥの合計送信電力がＵＥの最大送信電力より大きくなる場合に、ＵＥによって、第１のチャネルの優先度及びｎ個の第２のチャネルの優先度に従って、少なくとも第１のチャネルに送信電力を割り当てる段階
を含む。
【０００９】
第１の態様の第１の適用可能な実装態様を参照すると、第２の適用可能な実装態様において、第１のサブフレームのサブフレーム番号がｉであり、ｍ個の第２のサブフレームにあり、かつ、終了時点が第１のサブフレームの終了時点と重複する全ての第２のサブフレームのサブフレーム番号がｊであり、ｍ個の第２のサブフレームにあり、かつ、開始時点が第１のサブフレームの開始時点と重複する第２のサブフレームのサブフレーム番号がｊ＋１であり、サブフレーム番号がｊである第２のサブフレームと、サブフレーム番号がｊ＋１である第２のサブフレームとが第２の基地局／第２のセルグループに属する場合に、ＵＥによって、第１のチャネルに必要な送信電力と、ｎ個の第２のチャネルに必要な送信電力とに従って、少なくとも第１のチャネルに送信電力を割り当てる段階は、具体的には、
ＵＥによって、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定する段階であって、第１の予め割り当てられた送信電力及び第２の予め割り当てられた送信電力により、ＵＥの合計送信電力が、ＵＥの最大送信電力より小さく又はこれに等しくなる、段階と、
ＵＥによって、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定する段階であって、第３の予め割り当てられた送信電力及び第４の予め割り当てられた送信電力により、ＵＥの合計送信電力が、ＵＥの最大送信電力より小さく又はこれに等しくなる、段階と、
ＵＥによって、第１の予め割り当てられた送信電力及び第３の予め割り当てられた送信電力において、より小さい予め割り当てられた送信電力を、少なくとも第１のチャネルに割り当てられた送信電力として用いる段階と、
を含む。
【００１０】
第１の態様の第２の適用可能な実装態様を参照すると、第３の適用可能な実装態様において、
サブフレーム番号がｊ＋１であるサブフレームにおける少なくとも１つの第２のチャネルの優先度は、サブフレーム番号がｉである第１のサブフレームにおける第１のチャネルの優先度より高い又はこれに等しい、及び／又は、サブフレーム番号がｊ＋１であるサブフレームにおける少なくとも１つの第２のチャネルの優先度は、サブフレーム番号がｉ＋１であるサブフレームにおけるチャネルの優先度より高く、サブフレーム番号がｉ＋１であるサブフレームにおけるチャネルは、サブフレーム番号がｉである第１のサブフレームの次のサブフレームにおけるチャネルである。
【００１１】
前述の第１の態様、又は第１の態様の第１の適用可能な実装態様から第３の適用可能な実装態様のいずれか１つを参照すると、第４の適用可能な実装態様において、ユーザ機器ＵＥによって、第１のサブフレームにおいて第１のチャネルを決定する段階は、具体的には、
ＵＥによって、事前設定された条件に従って、第１のサブフレームにおいて第１のチャネルを決定する段階
を含む。
【００１２】
第１の態様の第４の適用可能な実装態様を参照すると、第５の適用可能な実装態様において、事前設定された条件は、第１の基地局／第１のセルグループにあり、かつ、サブフレーム番号が第１のサブフレームのサブフレーム番号と同じであるサブフレームにあるチャネルの優先度、又は、
第１の基地局／第１のセルグループにあり、かつ、サブフレーム番号が第１のサブフレームのサブフレーム番号と同じであるサブフレームにあるチャネルの送信時間
を含み、
ＵＥによって、事前設定された条件に従って、第１のＴＡＧにあり、かつ第１のサブフレームにある第１のチャネルを決定する段階は、具体的には、
ＵＥによって、第１の基地局／第１のセルグループにあり、かつ、サブフレーム番号が第１のサブフレームのサブフレーム番号と同じであるサブフレームにあるチャネルの優先度に従って、第１のチャネルとして、第１の基地局／第１のセルグループにあり、かつ、サブフレーム番号が第１のサブフレームのサブフレーム番号と同じであるサブフレームにおいて最も高い優先度を有する少なくとも１つのチャネルの１つを決定する段階、又は、
ＵＥによって、第１の基地局／第１のセルグループにあり、かつ、サブフレーム番号が第１のサブフレームのサブフレーム番号と同じであるサブフレームにあるチャネルの送信時間に従って、第１のチャネルとして、第１の基地局／第１のセルグループにあり、かつ、サブフレーム番号が第１のサブフレームのサブフレーム番号と同じであるサブフレームにおいて送信された第１の又は最後のチャネルであるチャネルを決定する段階であって、第１のチャネルが位置するサブフレームは、第１のサブフレームであり、第１のチャネルが位置するＴＡＧは、第１のＴＡＧである、段階
を含む。
【００１３】
前述の第１の態様、又は第１の態様の第１の適用可能な実装態様から第５の適用可能な実装態様のいずれか１つを参照すると、第６の適用可能な実装態様において、
事前設定された閾値は、第１の基地局又は第２の基地局によってシグナリングを用いることによって送信される、又は、予め定められる。
【００１４】
第２の態様に従って、本発明の実施形態は、電力割り当て方法をさらに提供し、当該方法は、
基地局によって、事前設定された閾値を決定する段階と、
基地局によって、事前設定された閾値をユーザ機器ＵＥに送信する段階であって、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる、段階と、
を含む。
【００１５】
第２の態様の第１の適用可能な実装態様において、事前設定された閾値は、
事前設定された閾値をシグナリングに追加することによって、事前設定された閾値を送信する
方法を用いることによって送信される。
【００１６】
第３の態様に従って、本発明の実施形態は、ユーザ機器ＵＥを提供し、当該ＵＥは、
第１のサブフレームにおいて第１のチャネルを決定するように構成される決定ユニットであって、第１のチャネルは、第１のタイミングアドバンスグループＴＡＧに属し、第１のＴＡＧは、第１の基地局／第１のセルグループのＴＡＧである、決定ユニットを含む。  決定ユニットは、ｎ個の第２のサブフレームにおいてｎ個の第２のチャネルを決定するようにさらに構成され、ｎ個の第２のチャネルは、ｎ個の第２のサブフレームのｍ個の第２のサブフレームにおいてｍ個の第２のチャネル、及び／又はサブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である。  当該ＵＥは、決定ユニットによって決定された第１のチャネルに必要な送信電力と、決定ユニットによって決定されたｎ個の第２のチャネルに必要な送信電力とに従って、少なくとも第１のチャネルに送信電力を割り当てるように構成される割り当てユニットと、
割り当てユニットによって第１のチャネルに割り当てられた送信電力に従って、第１のチャネルにおいて、第１の基地局／第１のセルグループにデータを送信するように構成される送信ユニットと、
をさらに含む。
【００１７】
第３の態様の第１の適用可能な実装態様において、割り当てユニットは、具体的には、決定ユニットによって決定された第１のチャネルに必要な送信電力と、決定ユニットによって決定されたｎ個の第２のチャネルに必要な送信電力により、ＵＥの合計送信電力が、ＵＥの最大送信電力より大きくなる場合に、決定ユニットによって決定された第１のチャネルの優先度と、決定ユニットによって決定されたｎ個の第２のチャネルの優先度とに従って、少なくとも第１のチャネルに送信電力を割り当てるように構成される。
【００１８】
第３の態様の第１の適用可能な実装態様を参照すると、第２の適用可能な実装態様において、第１のサブフレームのサブフレーム番号がｉであり、ｍ個の第２のサブフレームにあり、かつ、終了時点が第１のサブフレームの終了時点と重複する全ての第２のサブフレームのサブフレーム番号がｊであり、ｍ個の第２のサブフレームにあり、かつ、開始時点が第１のサブフレームの開始時点と重複する第２のサブフレームのサブフレーム番号がｊ＋１であり、サブフレーム番号がｊである第２のサブフレームと、サブフレーム番号がｊ＋１である第２のサブフレームとが第２の基地局／第２のセルグループに属する場合に、
決定ユニットは、具体的には、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定し、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定するように構成され、
第１の予め割り当てられた送信電力及び第２の予め割り当てられた送信電力により、ＵＥの合計送信電力が、ＵＥの最大送信電力より小さく又はこれに等しくなり、第３の予め割り当てられた送信電力及び第４の予め割り当てられた送信電力により、ＵＥの合計送信電力が、ＵＥの最大送信電力より小さく又はこれに等しくなる。  割り当てユニットは、さらに具体的には、決定ユニットによって決定された第１の予め割り当てられた送信電力及び第３の予め割り当てられた送信電力において、より小さい予め割り当てられた送信電力を、少なくとも第１のチャネルに割り当てられた送信電力として用いるように構成される。
【００１９】
第３の態様の第２の適用可能な実装態様を参照すると、第３の適用可能な実装態様において、
決定ユニットによって決定され、かつ、サブフレーム番号がｊ＋１であるサブフレームにある少なくとも１つの第２のチャネルの優先度は、サブフレーム番号がｉである第１のサブフレームにおける第１のチャネルの優先度より高い又はこれに等しく、及び／又は、サブフレーム番号がｊ＋１であるサブフレームにおける少なくとも１つの第２のチャネルの優先度は、サブフレーム番号がｉ＋１であるサブフレームにおけるチャネルの優先度より高く、サブフレーム番号がｉ＋１であるサブフレームにおけるチャネルは、サブフレーム番号がｉである第１のサブフレームの次のサブフレームにおけるチャネルである。
【００２０】
前述の第３の態様、又は第３の態様の第１の適用可能な実装態様から第３の適用可能な実装態様のいずれか１つを参照すると、第４の適用可能な実装態様において、
決定ユニットは、さらに具体的には、事前設定された条件に従って、第１のサブフレームにおいて第１のチャネルを決定するように構成される。
【００２１】
第３の態様の第４の適用可能な実装態様を参照すると、第５の適用可能な実装態様において、事前設定された条件は、第１の基地局／第１のセルグループにあり、かつ、サブフレーム番号が第１のサブフレームのサブフレーム番号と同じであるサブフレームにあるチャネルの優先度、又は、
第１の基地局／第１のセルグループにあり、かつ、サブフレーム番号が第１のサブフレームのサブフレーム番号と同じであるサブフレームにあるチャネルの送信時間
を含む。  決定ユニットは、さらに具体的には、第１の基地局／第１のセルグループにあり、かつ、サブフレーム番号が第１のサブフレームのサブフレーム番号と同じであるサブフレームにあるチャネルの優先度に従って、第１のチャネルとして、第１の基地局／第１のセルグループにあり、かつ、サブフレーム番号が第１のサブフレームのサブフレーム番号と同じであるサブフレームにおいて最も高い優先度を有する少なくとも１つのチャネルの１つを決定する、又は、第１の基地局／第１のセルグループにあり、かつ、サブフレーム番号が第１のサブフレームのサブフレーム番号と同じであるサブフレームにあるチャネルの送信時間に従って、第１のチャネルとして、第１の基地局／第１のセルグループにあり、かつ、サブフレーム番号が第１のサブフレームのサブフレーム番号と同じであるサブフレームにおいて送信された第１の又は最後のチャネルであるチャネルを決定するように構成され、第１のチャネルが位置するサブフレームは、第１のサブフレームであり、第１のチャネルが位置するＴＡＧは、第１のＴＡＧである。
【００２２】
前述の第３の態様、又は第３の態様の第１の適用可能な実装態様から第５の適用可能な実装態様のいずれか１つを参照すると、第６の適用可能な実装態様において、
事前設定された閾値は、第１の基地局又は第２の基地局によってシグナリングを用いることによって送信される、又は、予め定められる。
【００２３】
第４の態様に従って、本発明の実施形態は、基地局を提供し、基地局は、
事前設定された閾値を決定するように構成される決定ユニットと、
決定ユニットによって決定された事前設定された閾値をユーザ機器ＵＥに送信するように構成される送信ユニットであって、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる、送信ユニットと、
を含む。
【００２４】
第４の態様の第１の適用可能な実装態様において、
事前設定された閾値は、送信のためにシグナリングにおいて伝送される。
【００２５】
第５の態様に従って、本発明の実施形態は、ユーザ機器ＵＥを提供し、当該ＵＥは、
第１のサブフレームにおいて第１のチャネルを決定し、ｎ個の第２のサブフレームにおいてｎ個の第２のチャネルを決定し、第１のチャネルに必要な送信電力と、ｎ個の第２のチャネルに必要な送信電力とに従って、少なくとも第１のチャネルに送信電力を割り当てるように構成されるプロセッサであって、第１のチャネルは、第１のタイミングアドバンスグループＴＡＧに属し、第１のＴＡＧは、第１の基地局／第１のセルグループのＴＡＧであり、ｎ個の第２のチャネルは、ｎ個の第２のサブフレームのｍ個の第２のサブフレームにおいてｍ個の第２のチャネル、及び／又はサブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である、プロセッサと、
プロセッサによって第１のチャネルに割り当てられた送信電力に従って、第１のチャネルにおいて、第１の基地局／第１のセルグループにデータを送信するように構成される送信機と、
を含む。
【００２６】
第５の態様の第１の適用可能な実装態様において、
プロセッサは、具体的には、第１のチャネルに必要な送信電力とｎ個の第２のチャネルに必要な送信電力とにより、ＵＥの合計送信電力がＵＥの最大送信電力より大きくなる場合に、第１のチャネルの優先度及びｎ個の第２のチャネルの優先度に従って、少なくとも第１のチャネルに送信電力を割り当てるように構成される。
【００２７】
第５の態様の第１の適用可能な実装態様を参照すると、第２の適用可能な実装態様において、第１のサブフレームのサブフレーム番号がｉであり、ｍ個の第２のサブフレームにあり、かつ、終了時点が第１のサブフレームの終了時点と重複する全ての第２のサブフレームのサブフレーム番号がｊであり、ｍ個の第２のサブフレームにあり、かつ、開始時点が第１のサブフレームの開始時点と重複する第２のサブフレームのサブフレーム番号がｊ＋１であり、サブフレーム番号がｊである第２のサブフレームと、サブフレーム番号がｊ＋１である第２のサブフレームとが第２の基地局／第２のセルグループに属する場合に、
プロセッサは、さらに具体的には、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定し、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定し、第１の予め割り当てられた送信電力及び第３の予め割り当てられた送信電力において、より小さい予め割り当てられた送信電力を、少なくとも第１のチャネルに割り当てられた送信電力として用いるように構成され、第１の予め割り当てられた送信電力及び第２の予め割り当てられた送信電力により、ＵＥの合計送信電力が、ＵＥの最大送信電力より小さく又はこれに等しくなり、第３の予め割り当てられた送信電力及び第４の予め割り当てられた送信電力により、ＵＥの合計送信電力が、ＵＥの最大送信電力より小さく又はこれに等しくなる。
【００２８】
第５の態様の第２の適用可能な実装態様を参照すると、第３の適用可能な実装態様において、
プロセッサによって決定され、かつ、サブフレーム番号がｊ＋１であるサブフレームにある少なくとも１つの第２のチャネルの優先度は、サブフレーム番号がｉである第１のサブフレームにおける第１のチャネルの優先度より高い又はこれに等しく、及び／又は、サブフレーム番号がｊ＋１であるサブフレームにおける少なくとも１つの第２のチャネルの優先度は、サブフレーム番号がｉ＋１であるサブフレームにおけるチャネルの優先度より高く、サブフレーム番号がｉ＋１であるサブフレームにおけるチャネルは、サブフレーム番号がｉである第１のサブフレームの次のサブフレームにおけるチャネルである。
【００２９】
前述の第５の態様、又は第５の態様の第１の適用可能な実装態様から第３の適用可能な実装態様のいずれか１つを参照すると、第４の適用可能な実装態様において、
プロセッサは、さらに具体的には、事前設定された条件に従って、第１のサブフレームにおいて第１のチャネルを決定するように構成される。
【００３０】
第５の態様の第４の適用可能な実装態様を参照すると、第５の適用可能な実装態様において、事前設定された条件は、第１の基地局／第１のセルグループにあり、かつ、サブフレーム番号が第１のサブフレームのサブフレーム番号と同じであるサブフレームにあるチャネルの優先度、又は、
第１の基地局／第１のセルグループにあり、かつ、サブフレーム番号が第１のサブフレームのサブフレーム番号と同じであるサブフレームにあるチャネルの送信時間
を含む。  プロセッサは、さらに具体的には、第１の基地局／第１のセルグループにあり、かつ、サブフレーム番号が第１のサブフレームのサブフレーム番号と同じであるサブフレームにあるチャネルの優先度に従って、第１のチャネルとして、第１の基地局／第１のセルグループにあり、かつ、サブフレーム番号が第１のサブフレームのサブフレーム番号と同じであるサブフレームにおいて最も高い優先度を有する少なくとも１つのチャネルの１つを決定する、又は、第１の基地局／第１のセルグループにあり、かつ、サブフレーム番号が第１のサブフレームのサブフレーム番号と同じであるサブフレームにあるチャネルの送信時間に従って、第１のチャネルとして、第１の基地局／第１のセルグループにあり、かつ、サブフレーム番号が第１のサブフレームのサブフレーム番号と同じであるサブフレームにおいて送信された第１の又は最後のチャネルであるチャネルを決定するように構成され、第１のチャネルが位置するサブフレームは、第１のサブフレームであり、第１のチャネルが位置するＴＡＧは、第１のＴＡＧである。
【００３１】
前述の第５の態様、又は第５の態様の第１の適用可能な実装態様から第５の適用可能な実装態様のいずれか１つを参照すると、第６の適用可能な実装態様において、
事前設定された閾値は、第１の基地局又は第２の基地局によってシグナリングを用いることによって送信される、又は、予め定められる。
【００３２】
第６の態様に従って、本発明の実施形態は、基地局を提供し、当該基地局は、
事前設定された閾値を決定するように構成されるプロセッサと、
プロセッサによって決定された事前設定された閾値をユーザ機器ＵＥに送信するように構成される送信機であって、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる、送信機と、
を含む。
【００３３】
第６の態様の第１の適用可能な実装態様において、
事前設定された閾値は、送信のためにシグナリングにおいて伝送される。
【図面の簡単な説明】
【００３４】
本発明の複数の実施形態又は従来技術における技術的解決手段をより明確に説明すべく、以下、実施形態又は従来技術の説明に必要な添付図面を簡潔に説明する。以下の説明において、複数の添付図面は、単に本発明のいくつかの実施形態を示しているに過ぎず、当業者であれば、創造努力することなく、これらの添付図面から他の複数の図面をさらに導き出し得ることは明らかである。
【００３５】
【図１】本発明の実施形態に係る電力割り当て方法のフローチャート１である。
【００３６】
【図２】本発明の実施形態に係る電力割り当て方法の他のフローチャートである。
【００３７】
【図３】本発明の実施形態に係る電力割り当て方法のインタラクション図である。
【００３８】
【図４】本発明の実施形態に係るサブフレームの模式的構造図１である。
【００３９】
【図５】本発明の実施形態に係る電力割り当て方法のフローチャート２である。
【００４０】
【図６】本発明の実施形態に係るサブフレームの模式的構造図２である。
【００４１】
【図７】本発明の実施形態に係る電力割り当て方法のフローチャート３である。
【００４２】
【図８】本発明の実施形態に係るＵＥの模式的構造図１である。
【００４３】
【図９】本発明の実施形態に係る基地局の模式的構造図１である。
【００４４】
【図１０】本発明の実施形態に係るＵＥの模式的構造図２である。
【００４５】
【図１１】本発明の実施形態に係る基地局の模式的構造図２である。
【発明を実施するための形態】
【００４６】
以下、本発明の複数の実施形態の技術的解決手段を、本発明の複数の実施形態の添付図面を参照して、明確かつ完全に説明する。説明される実施形態は、単に、本発明の複数の実施形態のいくつかに過ぎず、全てではないことは明らかである。本発明の複数の実施形態に基づいて、創造努力することなく当業者により得られる全ての他の実施形態は、本発明の保護範囲内に属するものとする。
【００４７】
本明細書で説明される様々な技術は、様々な無線通信システム、例えば、グローバルシステムフォーモバイルコミュニケーションズ（ＧＳＭ（登録商標）、ｇｌｏｂａｌ  ｓｙｓｔｅｍ  ｆｏｒ  ｍｏｂｉｌｅ  ｃｏｍｍｕｎｉｃａｔｉｏｎｓ）、符号分割多重アクセス（ＣＤＭＡ）システム、時分割多重アクセス（ＴＤＭＡ）システム、ワイドバンド符号分割多重アクセス（ＷＣＤＭＡ（登録商標））システム、周波数分割多重アクセス（ＦＤＭＡ）システム、直交周波数分割多重アクセス（ＯＦＤＭＡ）システム、シングルキャリアＦＤＭＡ（ＳＣ−ＦＤＭＡ）システム、ジェネラルパケットラジオサービス（ＧＰＲＳ）システム、ロングタームエボリューション（ＬＴＥ）システム、及び他の通信システムのような現在の２Ｇ及び３Ｇ通信システム及び次世代通信システムにおいて利用可能である。
【００４８】
ＵＥ（ユーザ機器、ｕｓｅｒ  ｅｑｕｉｐｍｅｎｔ）は、無線端末であってよく、又は有線端末であってよい。無線端末は、ユーザに音声及び／又はデータ接続を提供するデバイス、無線接続機能付きのハンドヘルドデバイス、又は無線モデムに接続される他の処理デバイスを指してよい。無線端末は、（ＲＡＮ、ｒａｄｉｏ  ａｃｃｅｓｓ  ｎｅｔｗｏｒｋのような）無線アクセスネットワークを通して、１つ又は複数のコアネットワークを通信を行ってよい。無線端末は、モバイルフォン（「セルラ」フォンとも称される）のようなモバイル端末であってよく、モバイル端末付きコンピュータは、無線アクセスネットワークと音声及び／又はデータを交換する、例えば、パーソナルコミュニケーションサービス（ＰＣＳ）電話、コードレス電話セット、セッション開始プロトコル（ＳＩＰ）電話、無線ローカルループ（ＷＬＬ）ステーション、パーソナルデジタルアシスタント（ＰＤＡ）、又は他のデバイスのようなポータブル、ポケットサイズ、ハンドヘルド型のコンピュータ内蔵又は車載モバイル装置であってよい。無線端末は、システム、加入者ユニット、加入者ステーション、移動局、モバイル、リモートステーション、アクセスポイント、リモート端末、アクセス端末、ユーザ端末、ユーザエージェント、又はユーザ機器と称されてもよい。
【００４９】
基地局は、ｅＮＢ（ｅｖｏｌｖｅｄ  ＮｏｄｅＢ）、ＲＮＣ（無線ネットワークコントローラ）、又はＢＳＣ（基地局コントローラ）、すなわち、アクセスネットワークデバイスであってよい。
【００５０】
具体的には、モバイル通信システムにおけるＰＳ（パケットスイッチ）ドメインが、例として用いられる。３Ｇでは、基地局はＲＮＣであり、４Ｇ（第４世代モバイル通信技術）では、基地局はｅＮＢであり、２Ｇ（第２世代モバイル通信技術）、基地局はＢＳＣである。モバイル通信システムにおけるＣＳ（回路スイッチ）ドメインが、例として用いられる。３Ｇ／２Ｇでは、基地局は、ＲＮＣ（３Ｇ）／ＲＮＣ（２Ｇ）である。
【００５１】
実施形態([０-９])
本発明の本実施形態は、ＵＥ側に対応する電力割り当て方法を提供する。図１に示されるように、方法は、以下を含んでよい。
【００５２】
Ｓ１０１において、ＵＥは、第１のサブフレームにおいて第１のチャネルを決定し、第１のチャネルは、第１のＴＡＧ（タイミングアドバンスグループ）に属し、第１のＴＡＧは、第１の基地局／第１のセルグループのＴＡＧである。
【００５３】
非同期デュアル接続シナリオにおいて、ＵＥは、２つの基地局に接続され、データを送信及び受信し、２つの基地局は、マスタ基地局及びセカンダリ基地局である。マスタ基地局及びセカンダリ基地局のダウンリンクサブフレームの開始時点の間にはいくらかの時間差が存在し、これにより、ＵＥによってマスタ基地局及びセカンダリ基地局に送信される複数のアップリンクチャネルの間に重複時間が存在する。重複時間は、いくらかの時間差、すなわち、非固定値であることがある。本発明の本実施形態において提供される電力割り当て方法は、非同期デュアル接続シナリオにおけるアップリンクチャネルに送信電力を割り当てる方法であり、すなわち、本発明の本実施形態において、第１のチャネルはアップリンクチャネルであり、第１のサブフレームはアップリンクサブフレームである。
【００５４】
マスタ基地局又はセカンダリ基地局は、１つ又は複数のセルグループを含んでよく、マスタ基地局のセルグループは、ＭＣＧ（マスタセルグループ）と称されてよく、セカンダリ基地局のセルグループは、ＳＣＧ（セカンダリセルグループ）と称されてよいことに留意されたい。非同期デュアル接続シナリオにおいて、マスタ基地局又はセカンダリ基地局は、４つのＴＡＧを別個にサポートし、各ＴＡＧは、同じアップリンクタイミングを有する１つ又は複数のセルを有してよい。本発明の本実施形態において、第１の基地局は、マスタ基地局又はセカンダリ基地局であってよいが、これは本発明に限定されるものではない。さらに、本発明の本実施形態において、セルグループは、コンポーネントキャリア（Ｃｏｍｐｏｎｅｎｔ  Ｃａｒｒｉｅｒ）グループに置換されてよいが、これは本発明に限定されるものではない。
【００５５】
ＴＤＤ−ＬＴＥシステムでは、１つのフレームは１０のサブフレームを含む。１０のサブフレームにおいて、いくつかのサブフレームはアップリンクサブフレームであり、いくつかのサブフレームはダウンリンクサブフレームであり、スペシャルサブフレームがさらに存在することがある。スペシャルサブフレームは、アップリンクチャネル及びダウンリンクチャネルの両方を含む。ＦＤＤ−ＬＴＥシステムでは、１つのアップリンク無線フレームは１０のアップリンクサブフレームを含み、１つのダウンリンク無線フレームは１０のダウンリンクサブフレームを含む。アップリンク及びダウンリンクは、ＦＤＤ−ＬＴＥシステムでは別個であり、アップリンク及びダウンリンクにおいて、異なる周波数が用いられる。基地局は、ダウンリンクサブフレーム又はスペシャルサブフレームにおいてダウンリンクチャネルを送信し、データをＵＥに送信する。ＵＥは、アップリンクサブフレーム又はスペシャルサブフレームにおいてアップリンクチャネルを送信し、基地局にデータを送信する。
【００５６】
本発明の本実施形態において提供される電力割り当て方法では、ＵＥは、第１のサブフレームにおいて第１のチャネルを決定する。ここで、第１のチャネルは、第１のＴＡＧに属し、第１のＴＡＧは、第１の基地局／第１のセルグループのＴＡＧであり、第１の基地局／第１のセルグループは、ＵＥにサービスを提供する。
【００５７】
具体的には、ＵＥは、第１のアップリンクサブフレームにおいて第１のアップリンクチャネルを決定し、第１のアップリンクチャネルは、第１のＴＡＧに属し、第１のＴＡＧは、第１の基地局／第１のセルグループのＴＡＧであり、第１の基地局／第１のセルグループは、ＵＥにサービスを提供する。
【００５８】
ＵＥは、第１の基地局又は第２の基地局によって送信されたアップリンクサブフレームのスケジューリング情報をＵＥがダウンリンクサブフレームにおいて受信した後で、かつ、ＵＥがアップリンクサブフレームにおいてアップリンクチャネルを送信し、アップリンクデータを送信する前に、アップリンクチャネルに送信電力を割り当てることが理解されよう。
【００５９】
特に、本発明の本実施形態において提供される電力割り当て方法では、ＵＥが第１のチャネルに電力を割り当てる場合、第１のチャネルが位置する第１のサブフレームは、基準時間セグメントとして用いられ、ＵＥは、適切かつ有効に電力を割り当てるように、第１のチャネルが位置する第１のサブフレームと重複時間を有するサブフレームにおけるチャネル、すなわち第２のチャネルを考慮する必要がある。
【００６０】
第１のチャネルは、同じＴＡＧにあり、かつ、サブフレーム番号が同じである複数のチャネルを含んでよく、電力が割り当てられる場合、これらのチャネルも考慮される必要があることに留意されたい。
【００６１】
Ｓ１０２において、ＵＥは、ｎ個の第２のサブフレームにおいてｎ個の第２のチャネルを決定し、ｎ個の第２のチャネルは、ｎ個の第２のサブフレームのｍ個の第２のサブフレームにおいてｍ個の第２のチャネル、及び／又は、サブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である。
【００６２】
ＵＥが第１のサブフレームにおいて第１のチャネルを決定した後で、ＵＥは、ｎ個の第２のサブフレームにおいてｎ個の第２のチャネルを決定し、ｎ個の第２のチャネルは、ｎ個の第２のサブフレームのｍ個の第２のサブフレームにおいてｍ個の第２のチャネル、及び／又は、サブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧ、及び第２の基地局／第２のセルグループの全てのＴＡＧを含み、ｎ≧ｍ≧１であり、ｍ及びｎは正の整数である。
【００６３】
第１の基地局がマスタ基地局である場合、第２の基地局はセカンダリ基地局であり、第１の基地局がセカンダリ基地局である場合、第２の基地局はマスタ基地局であることに留意されたい。第１のセルグループは、第１の基地局のセルグループであり、第２のセルグループは、第２の基地局のセルグループである。
【００６４】
ＵＥが基地局と共にデータ送信を実際に実行する場合、同じ基地局のダウンリンクサブフレームは同期するので、同じ基地局又は同じセルグループの複数のＴＡＧにおけるアップリンクサブフレームの開始時点の差は極めて小さく、例えば３２．４７マイクロ秒未満であることに留意されたい。例えば、開始時点の差が３２．４７マイクロ秒より小さいサブフレームは、同じサブフレーム番号を有してよい。従って、ｎ個の第２のチャネルにおける第２のチャネルが位置するサブフレームのサブフレーム番号はｉであり、第２のチャネルは、第１の基地局／第１のセルグループに属し、サブフレーム番号がｉである第１のサブフレームにおける第１のチャネルと重複する。
【００６５】
さらに、第１のチャネルが位置する第１のサブフレームの最後のシンボルにおいてＳＲＳ（サウンディング参照信号）が送信される場合、例えば、第１のチャネルがＰＵＳＣＨ（物理アップリンク共有チャネル）であり、かつ、ＳＲＳが第１のサブフレームの最後のシンボルにおいて送信される場合、又は、第１のチャネルがショートフォーマットＰＵＣＣＨ（物理アップリンク制御チャネル）である場合、すなわち、ＰＵＣＣＨが位置するサブフレームの最後のシンボルにおいてＳＲＳが送信されない場合には、ＵＥは、事前設定された閾値に従って、ｍ個の第２のチャネルを決定してよい。第１のサブフレーム及び第２のチャネルが位置する第２のサブフレームの最後のシンボルの間に重複時間が存在するが、重複時間が事前設定された閾値より短い又は事前設定された閾値より短いもしくはこれに等しい場合、例えば、１つのシンボルを超えない場合には、ＵＥは、第１のサブフレームの最後のシンボルを送信しなくてよい。このように、第２のチャネルは、第１のチャネルへの電力割り当てに影響しない。従って、ＵＥは、第１のチャネルに電力を割り当てる場合に、第２のチャネルを考慮しない。第１のチャネルがＰＵＳＣＨチャネルであり、かつ、最後のシンボルの送信電力が第１のサブフレームの他のシンボルの送信電力と異なる構成を有し得る場合、ＵＥは、事前設定された閾値に従って、ｍ個の第２のチャネルを決定する。閾値要件を満たさない第２のチャネルに対しても、第１のチャネルの最後のシンボルの送信電力は構成されてよく、第２のチャネルが考慮される必要はない。第２のチャネルの第１のシンボルの送信電力が、第２のチャネルが位置する第２のサブフレームのシンボルの電力と異なる構成を有し得る場合、ＵＥは、事前設定された閾値に従って、ｍ個の第２のチャネルを決定してもよい。閾値要件を満たさない第２のサブフレームに対して、第２のサブフレームにおける第２のチャネルの第１のシンボルの送信電力は構成されてよく、第２のチャネルは考慮される必要はない。
【００６６】
例示的に、第１のチャネルがロングフォーマットＰＵＣＣＨである場合、すなわち、第１のサブフレームの全てのＳＣ−ＦＤＭＡシンボルがＰＵＣＣＨに用いられる。この場合において、第２のチャネルが、第１のチャネルＰＵＣＣＨと同じ又はこれより高い電力割り当て優先度を有するＰＵＣＣＨチャネルのようなチャネルである場合、ＵＥは、第２のチャネルに事前設定された閾値Ｔ１を用いない、すなわち、第２のチャネルが位置する第２のサブフレームと第１のチャネルが位置する第１のサブフレームとの間に重複時間があるとすると、ＵＥは、第１のチャネルに電力を割り当てる場合に第２のチャネルを考慮する。
【００６７】
任意に、事前設定された閾値は、第１の基地局又は第２の基地局によってシグナリングを用いることによって送信される、又は、予め定められる。
【００６８】
例示的に、事前設定された閾値はＴ１であり、Ｔ１は、１つ又は複数のＳＣ−ＦＤＭＡシンボルの長さであってよい。具体的な事前設定された閾値は、実際の状況に従って設定されてよく、本発明に特に限定されるものではない。
【００６９】
ＵＥがサブフレームの異なるシンボルを特に処理することを必要とする場合、異なる事前設定された閾値は、第１のチャネルへの電力割り当てに差をもたらす、例えば、ＵＥによって削除される、又は送信電力が割り当てられないシンボルの量に差をもたらすことがあることに留意されたい。異なるチャネルは、異なる事前設定された閾値に対応してよい。ＵＥが電力を割り当てる場合、ＵＥは、１つのサブフレームの１つの時間セグメントにおいて、少なくとも全てのシンボルにおいて同じ送信電力を有する。概して、サブフレームｉの第１のいくつかのシンボルは、同じ送信電力を有し、最後の１つ又は最後のいくつかのシンボルは、異なる電力割り当てを有してよい。最後の１つ又は最後のいくつかのシンボルの量は、ｃｅｉｌ｛Ｔ１／Ｔｓｙｍｂｏｌ｝であり、ここで、ｃｅｉｌは、ラウンドアップオペレーションであり、Ｔｓｙｍｂｏｌは、ＳＣ−ＦＤＭＡシンボルの時間長であり、かつ、ＣＰ長さを含む時間長である。
【００７０】
特に、ＵＥの送信電力は、この段階に限定されない。例えば、第１のチャネルが位置する第１のサブフレームと複数のチャネルが位置する複数のサブフレームとの間に重複時間が存在し、第１のチャネル及び複数のチャネルは、同じ基地局又は異なる基地局に属する。このように、ＵＥは、事前設定された閾値Ｔ１を有し、第１のサブフレームを限定する。第１のサブフレームに対して、Ｔ１エリアの電力は、非Ｔ１エリアの電力に等しくなくてよく、非Ｔ１エリアにおいて、ＵＥは、ＳＣ−ＦＤＭＡシンボルを同じ電力で送信する。
【００７１】
さらに、ＵＥがｍ個の第２のサブフレームにおいてｍ個の第２のチャネルを決定する場合に、ＵＥは、第１のサブフレームと重複時間を有するｚ個の第２のサブフレームを最初に決定し、次にＵＥは、ｚ個の第２のサブフレームと第１のサブフレームとの間の重複時間を事前設定された閾値と別個に比較し、ｚ個の第２のサブフレームから、第１のサブフレームとの重複時間が事前設定された閾値より長い又は事前設定された閾値より長いもしくはこれに等しく、かつ、第２の基地局／第２のセルグループに属するｍ個の第２のサブフレームを決定し、これにより、ＵＥは、ｍ個の第２のサブフレームにおいてｍ個の第２のチャネルを決定する。ここで、ｚ≧ｍ≧１であり、ｍ及びｚは正の整数である。
【００７２】
本発明の本実施形態において、ＵＥによって決定され、かつ、第１のチャネルと重複時間を有するｍ個の第２のチャネルは、第１のチャネルと重複時間を有する全てのチャネルに対するスクリーニングを実行することによって得られることが理解されよう。ｎ＝ｍの場合、非同期デュアル接続シナリオにおけるＵＥによって、第１の基地局の第１のＴＡＧにあり、かつ、アップリンクサブフレームにあるアップリンクチャネルに送信電力を割り当てることの複雑さを低減するよう、ＵＥは、第１のチャネルに電力を割り当てる場合に、ｍ個の第２のサブフレームのみを考慮する必要がある。
【００７３】
Ｓ１０３において、ＵＥは、第１のチャネルに必要な送信電力と、ｎ個の第２のチャネルに必要な送信電力とに従って、少なくとも第１のチャネルに送信電力を割り当てる。
【００７４】
ＵＥがｎ個の第２のサブフレームにおいてｎ個の第２のチャネルを決定した後で、ＵＥは、第１のチャネルに必要な送信電力とｎ個の第２のチャネルに必要な送信電力とに従って、少なくとも第１のチャネルに送信電力を割り当てる。
【００７５】
具体的には、ＵＥは、第１のチャネルに必要な送信電力とｎ個の第２のチャネルに必要な送信電力とにより、ＵＥの合計送信電力がＵＥの最大送信電力より大きくなるか否かを最初に決定し、ＵＥの合計送信電力がＵＥの最大送信電力より大きい場合、ＵＥは、第１のチャネルの優先度及びｎ個の第２のチャネルの優先度に従って、少なくとも第１のチャネルに送信電力を割り当てる。
【００７６】
さらに、第１のチャネルに必要な送信電力は、電力制御コマンド情報及び経路損失値のような情報に従って、ＵＥによって算出される。ここで、電力制御コマンド情報は、ＵＥのダウンリンクサブフレームを用いることによって、第１の基地局又は第２の基地局によって送信される。ｎ個の第２のチャネルに必要な送信電力は、ｎ個のチャネルの電力制御コマンド情報及び経路損失値のような情報に従って、ＵＥによって別個に算出される。ここで、電力制御コマンド情報は、第２のＴＡＧが位置する第１の基地局又は第２の基地局によって、ＵＥのダウンリンクサブフレームを用いることによって送信される。
【００７７】
第１のチャネルに必要な送信電力とｎ個の第２のチャネルに必要な送信電力とに従って、ＵＥによって少なくとも第１のチャネルに送信電力を割り当てる具体的な処理は、続く実施形態において詳細に説明されることに留意されたい。
【００７８】
Ｓ１０４において、ＵＥは、第１のチャネルに割り当てられた送信電力に従って、第１のチャネルにおいて、第１の基地局／第１のセルグループにデータを送信する。
【００７９】
第１のチャネルに必要な送信電力とｎ個の第２のチャネルに必要な送信電力とに従って、ＵＥが第１のチャネルに送信電力を割り当てた後で、ＵＥは、ＵＥと第１の基地局／第１のセルグループとの間における通信を実装するように、第１のチャネルに割り当てられた送信電力に従って、第１のチャネルにおいて、第１の基地局／第１のセルグループにデータを送信する。
【００８０】
ＵＥが電力を割り当てる場合、第１のサブフレームと第２のサブフレームとの間の重複時間は極めて短いので、電力は２つのチャネルの間で割り当てられないことが理解されよう。代わりに、ＵＥは、第１のサブフレームと第２のサブフレームとの間の極めて短い重複時間に対して、可能な特別処理を実行し、ＵＥの電力利用効率を向上させる。
【００８１】
本発明の本実施形態は、基地局側に対応する電力割り当て方法をさらに提供する。図２に示されるように、方法は、以下を含んでよい。
【００８２】
Ｓ２０１において、基地局は、事前設定された閾値を決定する。
【００８３】
基地局は、マスタ基地局又はセカンダリ基地局であってよく、第１のチャネルは、マスタ基地局にあり、かつ、第１のサブフレームにあるチャネルであってよく、又は、セカンダリ基地局にあり、かつ、第１のサブフレームにあるチャネルであってよいことに留意されたい。
【００８４】
例示的に、事前設定された閾値はＴ１であり、Ｔ１は、１つ又は複数のＳＣ−ＦＤＭＡシンボルの長さであってよい。具体的な事前設定された閾値は、実際の状況に従って設定されてよく、本発明に特に限定されるものではない。
【００８５】
Ｓ２０２において、基地局は、事前設定された閾値をＵＥに送信し、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる。
【００８６】
基地局が事前設定された閾値を決定した後で、基地局は、事前設定された閾値をＵＥに送信し、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又は、ｎ−ｍ個の第２のサブフレームにおいてｎ−ｍ個の第２のチャネルを決定し、第１のチャネルに必要な送信電力とｎ個の第２のチャネルに必要な送信電力とに従って、少なくとも第１のチャネルに送信電力を割り当てる。
【００８７】
例示的に、事前設定された閾値は、マスタ基地局によってＵＥに送信されてよく、セカンダリ基地局にあり、かつ、第１のサブフレームにある第１のチャネルに、ＵＥによって送信電力を割り当てる処理において用いられる。
【００８８】
任意に、事前設定された閾値は、以下の方法、すなわち、事前設定された閾値をシグナリングに追加することによって事前設定された閾値を送信する方法を用いることによって、送信される。
【００８９】
本発明の本実施形態は、電力割り当て方法を提供する。ＵＥは、第１のサブフレームにおいて第１のチャネルを決定する。ここで、第１のチャネルは、第１のＴＡＧに属し、第１のＴＡＧは、第１の基地局／第１のセルグループのＴＡＧである。ＵＥは、ｎ個の第２のサブフレームにおいてｎ個の第２のチャネルを決定する。ここで、ｎ個の第２のチャネルは、ｎ個の第２のサブフレームのｍ個の第２のサブフレームにおいてｍ個の第２のチャネル、及び／又は、サブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である。ＵＥは、第１のチャネルに必要な送信電力と、ｎ個の第２のチャネルに必要な送信電力とに従って、少なくとも第１のチャネルに送信電力を割り当てる。最後に、ＵＥは、第１のチャネルに割り当てられた送信電力に従って、第１のチャネルにおいて、第１の基地局／第１のセルグループにデータを送信する。この解決手段において、送信電力を第１のチャネルに割り当てる場合、非同期デュアル接続シナリオにおけるＵＥによって、基地局のＴＡＧにあり、かつ、アップリンクサブフレームにあるアップリンクチャネルに送信電力を割り当てる複雑さを低減するように、ＵＥは、第１のチャネルが位置する第１のサブフレームと重複時間を有する第２のサブフレームにおける全てのチャネルを考慮する必要はない。この解決手段は、実装が容易である。
【００９０】
実施形態([０-９])
本発明の本実施形態は、電力割り当て方法を提供する。図３に示されるように、方法は、以下を含んでよい。
【００９１】
Ｓ３０１において、ＵＥは、事前設定された条件に従って、第１のサブフレームにおいて第１のチャネルを決定する。ここで、第１のチャネルは、第１のＴＡＧに属し、第１のＴＡＧは、第１の基地局／第１のセルグループのＴＡＧである。
【００９２】
非同期デュアル接続シナリオにおいて、ＵＥは、２つの基地局に接続され、データを送信及び受信する。すなわち、マスタ基地局及びセカンダリ基地局の両方が、ＵＥにサービスを提供する。２つの基地局は、マスタ基地局及びセカンダリ基地局である。マスタ基地局及びセカンダリ基地局のダウンリンクサブフレームの開始時点の間にはいくらかの時間差が存在し、これにより、ＵＥによってマスタ基地局及びセカンダリ基地局に送信される複数のアップリンクチャネルの間に重複時間が存在する。重複時間は、いくらかの時間差、すなわち、非固定値であることがある。本発明の本実施形態において提供される電力割り当て方法は、非同期デュアル接続シナリオにおけるアップリンクチャネルに送信電力を割り当てる方法であり、すなわち、本発明の本実施形態において、第１のチャネルはアップリンクチャネルであり、第１のサブフレームはアップリンクサブフレームである。
【００９３】
マスタ基地局又はセカンダリ基地局は、１つ又は複数のセルグループを含んでよく、マスタ基地局のセルグループは、ＭＣＧと称されてよく、セカンダリ基地局のセルグループは、ＳＣＧと称されてよいことに留意されたい。非同期デュアル接続シナリオにおいて、マスタ基地局又はセカンダリ基地局は、４つのＴＡＧを別個にサポートし、各ＴＡＧは、同じアップリンクタイミングを有する１つ又は複数のセルを有してよい。本発明の本実施形態において、第１の基地局は、マスタ基地局又はセカンダリ基地局であってよいが、これは本発明に限定されるものではない。さらに、セルグループは、コンポーネントキャリアグループに置換されてよいが、これは本発明に限定されるものではない。
【００９４】
ＴＤＤ−ＬＴＥシステムでは、１つのフレームは１０のサブフレームを含む。１０のサブフレームにおいて、いくつかのサブフレームはアップリンクサブフレームであり、いくつかのサブフレームはダウンリンクサブフレームであり、スペシャルサブフレームがさらに存在することがある。スペシャルサブフレームは、アップリンクチャネル及びダウンリンクチャネルの両方を含む。ＦＤＤ−ＬＴＥシステムでは、１つのアップリンク無線フレームは１０のアップリンクサブフレームを含み、１つのダウンリンク無線フレームは１０のダウンリンクサブフレームを含む。アップリンク及びダウンリンクは、ＦＤＤ−ＬＴＥシステムでは別個であり、アップリンク及びダウンリンクにおいて、異なる周波数が用いられる。基地局は、ダウンリンクサブフレーム又はスペシャルサブフレームにおいてダウンリンクチャネルを送信し、データをＵＥに送信する。ＵＥは、アップリンクサブフレーム又はスペシャルサブフレームにおいてアップリンクチャネルを送信し、基地局にデータを送信する。
【００９５】
本発明の本実施形態において提供される電力割り当て方法では、ＵＥは、事前設定された条件に従って、第１のサブフレームにおいて第１のチャネルを決定する。ここで、第１のチャネルは、第１のＴＡＧに属し、第１のＴＡＧは、第１の基地局／第１のセルグループのＴＡＧであり、第１の基地局／第１のセルグループは、ＵＥにサービスを提供する。
【００９６】
具体的には、ＵＥは、第１の基地局／第１のセルグループにあり、かつ、サブフレーム番号が第１のサブフレームのサブフレーム番号と同じであるサブフレームにあるチャネルの優先度に従って、第１のチャネルとして、第１の基地局／第１のセルグループにあり、かつ、サブフレーム番号が第１のサブフレームのサブフレーム番号と同じであるサブフレームにおいて最も高い優先度を有する少なくとも１つのチャネルの１つを決定する、又は、ＵＥは、第１の基地局／第１のセルグループにあり、かつ、サブフレーム番号が第１のサブフレームのサブフレーム番号と同じであるサブフレームにあるチャネルの送信時間に従って、第１のチャネルとして、第１の基地局／第１のセルグループにあり、かつ、サブフレーム番号が第１のサブフレームのサブフレーム番号と同じであるサブフレームにおいて送信された第１の又は最後のチャネルであるチャネルを決定する。第１のチャネルが位置するサブフレームは、第１のサブフレームであり、第１のチャネルが位置するＴＡＧは、第１のＴＡＧである。
【００９７】
一実装態様において、ＵＥは、第１の基地局／第１のセルグループにあり、かつ、サブフレーム番号が第１のサブフレームのサブフレーム番号と同じであるサブフレームにあるチャネルの優先度に従って、第１のチャネルとして、第１の基地局／第１のセルグループにあり、かつ、サブフレーム番号が第１のサブフレームのサブフレーム番号と同じであるサブフレームにおいて最も高い優先度を有する少なくとも１つのチャネルの１つを決定することに留意されたい。
【００９８】
例示的に、第１のサブフレームのサブフレーム番号はｉであり、第１の基地局／第１のセルグループにおいて、サブフレーム番号がｉであるサブフレームに３つのチャネルＡ、Ｂ、及びＣが存在すると仮定する。Ａ、Ｂ、及びＣの優先度がＡ＝Ｃ＞Ｂの場合、すなわち、Ａ及びＣの優先度がＢの優先度より高い場合、第１のチャネルは、Ａ又はＣの何れかである。第１のチャネルがＡの場合、第１のサブフレームは、サブフレーム番号がｉであり、かつ、Ａが位置するサブフレームである。
【００９９】
ＵＥによって、最も高い電力割り当て優先度を有するチャネルを第１のチャネルとして選択することは、電力割り当て方法を単純化するという利点を有することが理解されよう。第１のチャネルが位置する第１の基地局／第１のセルグループにおいて低い優先度を有するチャネルは、第１の基地局／第１のセルグループにおいて最も高い優先度を有するチャネルへの電力割り当てに影響しないので、概して、ＵＥは、最も高い優先度を有するチャネルへの電力を割り当てを優先的に考慮する。
【０１００】
実際の無線通信では、ＰＲＡＣＨ（物理ランダムアクセスチャネル、ｐｈｙｓｉｃａｌ  ｒａｎｄｏｍ  ａｃｃｅｓｓ  ｃｈａｎｎｅｌ）チャネルがない場合、チャネルの優先度は、ＰＵＣＣＨ＞ＵＣＩを伝送するＰＵＳＣＨ＞ＵＣＩを伝送しないＰＵＳＣＨ＞ＳＲＳであることに留意されたい。ＵＥは、最も高い優先度を有するチャネルに電力を優先的に割り当て、次に、高い優先度を有する残りのチャネルに電力を優先的に割り当て、次に、低い優先度を有するチャネルへの電力割り当てを考慮する。各キャリアは、アップリンク送信電力の上限を有する。各キャリアのチャネル送信電力は各キャリアの上限電力を超えないが、複数のチャネルの合計送信電力は、ＵＥのために構成される最大送信電力をなお超えることがある。この場合、ＵＥは、高い優先度を有するチャネルに電力を優先的に割り当ててよく、次に、低い優先度を有するチャネルへの電力割り当てを考慮する。電力が高い優先度を有するチャネルへの割り当てに不十分な場合、低い優先度を有するチャネルには、送信電力は割り当てられない。同じ優先度を有するチャネルに対して、又はチャネルの電力割り当て優先度が区別されない場合、複数のチャネルに必要な送信電力がＵＥの最大送信電力を超える場合には、電力スケーリングが実行される。
【０１０１】
最も高い電力割り当て優先度を有するチャネルは、ＰＵＣＣＨ、又はＡＣＫ（肯定応答）／ＮＡＣＫ（否定応答）を伝送するＰＵＳＣＨのような、ＡＣＫ／ＮＡＣＫを伝送するチャネルであってよいことに留意されたい。最も高い電力割り当て優先度を有するチャネルは、チャネルセットにおいて最も高い電力割り当て優先度を有するチャネル、例えば、全ての可能なチャネルセット又は電力が割り当てられるチャネルを除くチャネルセットにおいて最も高い電力割り当て優先度を有するチャネルを指す。
【０１０２】
本発明の本実施形態において、最も高い優先度を有するチャネルを選択する態様は、例示的な実装可能態様であり、固有の実装態様として用いられるものではないことに留意されたい。具体的な最も高い優先度は、実際の状況に従って設定されてよく、本発明に限定されるものではない。
【０１０３】
任意に、他の実装態様において、ＵＥは、第１の基地局／第１のセルグループにあり、かつ、サブフレーム番号が第１のサブフレームのサブフレーム番号と同じであるサブフレームにあるチャネルの送信時間に従って、第１のチャネルとして、第１の基地局／第１のセルグループにあり、かつ、サブフレーム番号が第１のサブフレームのサブフレーム番号と同じであるサブフレームにおいて送信された第１の又は最後のチャネルであるチャネルを決定する。
【０１０４】
例示的に、第１のサブフレームのサブフレーム番号はｉであり、第１の基地局／第１のセルグループにおいて、サブフレーム番号がｉであるサブフレームに３つのチャネルＡ、Ｂ、及びＣが存在すると仮定する。Ａ、Ｂ、及びＣの送信時間が、ＡはＣより早く送信され、ＣはＢより早く送信され、すなわち、ＡはＢ及びＣより早く送信される場合、第１のチャネルはＡであり、第１のサブフレームは、サブフレーム番号がｉであり、かつ、Ａが位置するサブフレームである。他の例において、Ａ、Ｂ、及びＣの送信時間が、ＡはＣと同時に送信され、Ａ及びＣはＢより早く送信される場合、第１のチャネルは、Ａ又はＣの何れかである。第１のチャネルがＣの場合、第１のサブフレームは、サブフレーム番号がｉであり、かつ、Ｃが位置するサブフレームである。さらに他の例において、Ａ、Ｂ、及びＣの送信時間が、ＡはＢと同時に送信され、Ａ及びＢはＣより後に送信される場合、第１のチャネルは、Ａ又はＢの何れかである。第１のチャネルがＢの場合、第１のサブフレームは、サブフレーム番号がｉであり、かつ、Ｂが位置するサブフレームである。本発明の本実施形態において、事前設定された条件は、例示的な実装可能態様であり、固有の実装態様として用いられるものではないことに留意されたい。具体的な事前設定された条件は、実際の状況に従って設定されてもよく、本発明に限定されるものではない。
【０１０５】
ＵＥは、第１の基地局又は第２の基地局によって送信されたアップリンクサブフレームのスケジューリング情報をＵＥがダウンリンクサブフレームにおいて受信した後で、かつ、ＵＥがアップリンクサブフレームにおいてアップリンクチャネルを送信し、アップリンクデータを送信する前に、アップリンクチャネルに送信電力を割り当てることが理解されよう。
【０１０６】
特に、本発明の本実施形態において提供される電力割り当て方法では、ＵＥが第１のチャネルに電力を割り当てる場合、第１のチャネルが位置する第１のサブフレームは、基準時間セグメントとして用いられ、ＵＥは、適切かつ有効に電力を割り当てるように、第１のチャネルが位置する第１のサブフレームと重複時間を有するサブフレームにおけるチャネル、すなわち第２のチャネルを考慮する必要がある。
【０１０７】
第１のチャネルが、同じＴＡＧにあり、かつ、サブフレーム番号が同じである複数のチャネルを含んでよい場合において、第１のチャネルに電力を割り当てる場合、ＵＥは、同じＴＡＧにあり、かつ、サブフレーム番号が同じであるこれらのチャネルも考慮する必要があることに留意されたい。
【０１０８】
Ｓ３０２において、第１の基地局又は第２の基地局は、事前設定された閾値を決定する。
【０１０９】
ＵＥが、事前設定された条件に従って、第１のサブフレームにおいて第１のチャネルを決定した後で、第１の基地局又は第２の基地局は、事前設定された閾値を決定する。
【０１１０】
例示的に、事前設定された閾値はＴ１であり、Ｔ１は、１つ又は複数のＳＣ−ＦＤＭＡシンボルの長さであってよい。具体的な事前設定された閾値は、実際の状況に従って設定されてよく、本発明に特に限定されるものではない。
【０１１１】
Ｓ３０３において、第１の基地局又は第２の基地局は、事前設定された閾値をＵＥに送信する。
【０１１２】
第１の基地局又は第２の基地局が事前設定された閾値を決定した後で、第１の基地局又は第２の基地局は、事前設定された閾値をＵＥに送信する。
【０１１３】
事前設定された閾値を送信する基地局と、第１のチャネルが位置する基地局とは、同じ基地局であってよく、又は異なる基地局であってよいことに留意されたい。
【０１１４】
例示的に、事前設定された閾値は、第１の基地局によってＵＥに送信されてよく、第２の基地局にあり、かつ、第１のサブフレームにある第１のチャネルに、ＵＥによって電力を割り当てる処理において用いられる。
【０１１５】
任意に、事前設定された閾値は、以下の方法、すなわち、事前設定された閾値をシグナリングに追加することによって事前設定された閾値を送信する方法を用いることによって、送信される。
【０１１６】
前述のシグナリングは、より上位層のシグナリングであり、すなわち、事前設定された閾値は、送信のためより上位層のシグナリングにおいて伝送されることに留意されたい。
【０１１７】
任意に、事前設定された閾値は、第１の基地局又は第２の基地局によってシグナリングを用いることによって送信される、又は、予め定められる。
【０１１８】
例示的に、事前設定された閾値はＴ１であり、Ｔ１は、１つ又は複数のＳＣ−ＦＤＭＡシンボルの長さであってよい。具体的な事前設定された閾値は、実際の状況に従って設定されてよく、本発明に限定されるものではない。
【０１１９】
Ｓ３０１及びＳ３０２を実行するシーケンスは、本発明に限定されるものではない。すなわち、Ｓ３０１が最初に実行されてよく、次にＳ３０２が実行される。Ｓ３０２が最初に実行されてよく、次にＳ３０１が実行される。又は、事前設定された閾値が予め定められる場合に、段階Ｓ３０１のみが実行されることに留意されたい。
【０１２０】
Ｓ３０４において、ＵＥは、事前設定された閾値に従って、ｍ個の第２のサブフレームを決定する。ここで、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｍ≧１であり、ｍは正の整数である。
【０１２１】
第１の基地局又は第２の基地局が事前設定された閾値をＵＥに送信した後、又は、ＵＥが予め定められた事前設定された閾値を決定した後で、ＵＥは、事前設定された閾値に従って、ｍ個の第２のサブフレームを決定する。ここで、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｍ≧１である。
【０１２２】
さらに、ＵＥが事前設定された閾値に従って、ｍ個の第２のサブフレームを決定する前に、ｍ個の第２のサブフレームが事前設定された閾値より長い第１のサブフレームとの重複時間、又は事前設定された閾値より長いもしくはこれに等しい第１のサブフレームとの重複時間を有するサブフレームである場合、ＵＥは、第１のサブフレームと重複時間を有する全てのサブフレームを最初に決定する。ｎ個のサブフレームは、全てのサブフレームにあり、かつ、事前設定された閾値より長い重複時間又は事前設定された閾値より長いもしくはこれに等しい重複時間を有するｎ個のサブフレームである。
【０１２３】
第１の基地局がマスタ基地局である場合、第２の基地局はセカンダリ基地局であり、第１の基地局がセカンダリ基地局である場合、第２の基地局はマスタ基地局であることに留意されたい。第１のセルグループは、第１の基地局のセルグループであり、第２のセルグループは、第２の基地局のセルグループである。
【０１２４】
さらに、ＵＥがサブフレームの異なるシンボルを特に処理することを必要とする場合、異なる事前設定された閾値は、第１のチャネルへの電力割り当てに差をもたらす、例えば、ＵＥによって削除される、又は送信電力が割り当てられないシンボルの量に差をもたらすことがある。異なるチャネルは、異なる事前設定された閾値に対応してよい。ＵＥが電力を割り当てる場合、ＵＥは、１つのサブフレームの１つの時間セグメントにおいて、少なくとも全てのシンボルにおいて同じ送信電力を有する。概して、サブフレームｉの第１のいくつかのシンボルは、同じ送信電力を有し、最後の１つ又は最後のいくつかのシンボルは、異なる電力割り当てを有してよい。最後の１つ又は最後のいくつかのシンボルの量は、ｃｅｉｌ｛Ｔ１／Ｔｓｙｍｂｏｌ｝であり、ここで、ｃｅｉｌは、ラウンドアップオペレーションであり、Ｔｓｙｍｂｏｌは、ＳＣ−ＦＤＭＡシンボルであり、かつ、ＣＰ長さを含む時間長である。
【０１２５】
特に、ＵＥの送信電力は、この段階に限定されない。例えば、第１のチャネルが位置する第１のサブフレームと複数のチャネルが位置する複数のサブフレームとの間に重複時間が存在し、第１のチャネル及び複数のチャネルは、同じ基地局又は異なる基地局に属する。このように、ＵＥは、事前設定された閾値Ｔ１を有し、第１のサブフレームを限定する。第１のサブフレームに対して、Ｔ１エリアの電力は、非Ｔ１エリアの電力に等しくなくてよく、非Ｔ１エリアにおいて、ＵＥは、ＳＣ−ＦＤＭＡシンボルを同じ電力で送信する。
【０１２６】
Ｓ３０５において、ＵＥは、ｍ個の第２のサブフレームにおいてｍ個の第２のチャネルを決定する。ここで、ｍ個の第２のチャネルは、少なくとも１つの第３のＴＡＧに属し、少なくとも１つの第３のＴＡＧは、第２の基地局／第２のセルグループの全てのＴＡＧに属する。
【０１２７】
ＵＥが事前設定された閾値に従って、ｍ個の第２のサブフレームを決定した後で、ＵＥは、ｍ個の第２のサブフレームにおいてｍ個の第２のチャネルを決定する。ｍ個の第２のチャネルは、少なくとも１つの第３のＴＡＧに属し、少なくとも１つの第３のＴＡＧは、第２のセットに属する。第２のセットは、第２の基地局／第２のセルグループの全てのＴＡＧを含み、第２のセットは、第１のセットに属する。第１のセットは、第１の基地局／第１のセルグループの第１のＴＡＧを除くＴＡＧと、第２の基地局／第２のセルグループの全てのＴＡＧとを含む。第２の基地局／第２のセルグループは、ＵＥにサービスを提供する。
【０１２８】
ｍ個の第２のチャネルは少なくとも１つの第３のＴＡＧに属するので、ｍ個の第２のサブフレームも少なくとも１つの第３のＴＡＧに属し、ｍ個の第２のチャネルは、ｍ個の第２のサブフレームにおける別個のチャネルであることが認識され得ることに留意されたい。少なくとも１つの第２のチャネルが、１つの第２のサブフレームに存在する。
【０１２９】
さらに、第１のチャネルが位置する第１のサブフレームの最後のシンボルにおいてＳＲＳが送信される場合、例えば、第１のチャネルがＰＵＳＣＨであり、かつ、ＳＲＳ信号が第１のサブフレームの最後のシンボルにおいて送信される場合、又は、第１のチャネルがショートフォーマットＰＵＣＣＨである場合、すなわち、ＰＵＣＣＨが位置するサブフレームの最後のシンボルにおいてＳＲＳが送信されない場合には、ＵＥは、事前設定された閾値に従って、ｍ個の第２のチャネルを決定してよい。第１のサブフレーム及び第２のチャネルが位置する第２のサブフレームの最後のシンボルの間に重複時間が存在するが、重複時間が事前設定された閾値より短い又は事前設定された閾値より短いもしくはこれに等しい場合、例えば、１つのシンボルを超えない場合には、ＵＥは、第１のサブフレームの最後のシンボルを送信しなくてよい。このように、第２のチャネルは、第１のチャネルへの電力割り当てに影響しない。従って、ＵＥは、第１のチャネルに電力を割り当てる場合に、第２のチャネルを考慮しない。第１のチャネルがＰＵＳＣＨチャネルであり、かつ、最後のシンボルの送信電力が第１のサブフレームの他のシンボルの送信電力と異なる構成を有し得る場合、ＵＥは、事前設定された閾値に従って、ｍ個の第２のチャネルを決定する。閾値要件を満たさない第２のチャネルに対しても、第１のチャネルの最後のシンボルの送信電力は構成されてよく、第２のチャネルが考慮される必要はない。第２のチャネルの第１のシンボルの送信電力が、第２のチャネルが位置する第２のサブフレームのシンボルの電力と異なる構成を有し得る場合、ＵＥは、事前設定された閾値に従って、ｍ個の第２のチャネルを決定してもよい。閾値要件を満たさない第２のサブフレームに対して、第２のサブフレームにおける第２のチャネルの第１のシンボルの送信電力は構成されてよく、第２のチャネルは考慮される必要はない。
【０１３０】
例示的に、第１のチャネルがロングフォーマットＰＵＣＣＨチャネルである場合、すなわち、このサブフレームの全てのＳＣ−ＦＤＭＡシンボルがＰＵＣＣＨチャネルに用いられる。この場合において、ＰＵＣＣＨチャネルのような第２のチャネルが、第１のチャネルＰＵＣＣＨと同じ又はこれより高い電力割り当て優先度を有するチャネルである場合、ＵＥは、第２のチャネルに事前設定された閾値Ｔ１を用いない、すなわち、第２のチャネルが位置する第２のサブフレームと第１のチャネルが位置する第１のサブフレームとの間に重複時間があるとすると、ＵＥは、第１のチャネルに電力を割り当てる場合に第２のチャネルを考慮する。
【０１３１】
例示的に、ＵＥがｍ個の第２のサブフレームにおいてｍ個の第２のチャネルを決定する場合、ＵＥは、第１のサブフレームと重複時間を有するｚ個の第２のサブフレームを最初に決定し、次にＵＥは、ｚ個の第２のサブフレームと第１のサブフレームとの間の重複時間を事前設定された閾値と別個に比較し、ｚ個の第２のサブフレームから、第１のサブフレームとの重複時間が事前設定された閾値より長い又は事前設定された閾値より長いもしくはこれに等しいｍ個の第２のサブフレームを決定する。ここで、ｚ≧ｍ≧１であり、ｍ及びｚは正の整数である。
【０１３２】
本発明の本実施形態において、ＵＥによって決定され、かつ、第１のチャネルと重複時間を有するｍ個の第２のチャネルは、第１のチャネルと重複時間を有する全てのチャネルに対するスクリーニングを実行することによって得られることが理解されよう。非同期デュアル接続シナリオにおけるＵＥによって、第１の基地局の第１のＴＡＧにあり、かつ、アップリンクサブフレームにあるアップリンクチャネルに送信電力を割り当てることの複雑さを低減するよう、ＵＥは、第１のチャネルに電力を割り当てる場合に、ｍ個の第２のサブフレームのみを考慮する必要がある。
【０１３３】
Ｓ３０６において、ＵＥは、ｎ−ｍ個の第２のサブフレームにおいてｎ−ｍ個の第２のチャネルを決定する。ここで、ｎ−ｍ個の第２のチャネルは、サブフレーム番号が第１のサブフレームのサブフレーム番号と同じｎ−ｍ個のチャネルである。
【０１３４】
ＵＥが、事前設定された条件に従って、第１のサブフレームにおいて第１のチャネルを決定した後で、ＵＥは、ｎ−ｍ個の第２のサブフレームにおいてｎ−ｍ個の第２のチャネルを決定する。ここで、ｎ−ｍ個の第２のチャネルは、サブフレーム番号が第１のサブフレームのサブフレーム番号と同じｎ−ｍ個のチャネルである。
【０１３５】
特に、ＵＥが、事前設定された条件に従って、第１のサブフレームにおいて第１のチャネルを決定した後で、ＵＥは、ｎ個の第２のサブフレームにおいてｎ個の第２のチャネルを決定する。ここで、ｎ個の第２のチャネルは、Ｓ３０４において決定されたｍ個の第２のチャネル及び／又はＳ３０５におけるｎ−ｍ個の第２のチャネルを含む。ｎ個のチャネルの具体的な構成は、実際の状況に従って決定される。
【０１３６】
ｎ＝ｍの場合、ｎ−ｍ＝０であることが理解されよう。この場合、第１のサブフレームのサブフレーム番号とサブフレーム番号が同じｎ−ｍ個のチャネルは存在しない。従って、ＵＥは、第１のチャネルに電力を割り当てる場合に、ｎ−ｍ個のチャネルを考慮しない。ｎ＞ｍの場合、ｎ−ｍ＞０である。この場合、サブフレーム番号が第１のサブフレームのサブフレーム番号と同じｎ−ｍ個のチャネルが存在し、従って、第１のチャネルに電力を割り当てる場合、ＵＥは、ｎ−ｍ個のチャネル及びｍ個のチャネルを考慮し、ｎ−ｍ個のチャネルに電力を割り当てる必要がある。
【０１３７】
Ｓ３０１の後、Ｓ３０２からＳ３０５はＳ３０６と並列な段階であることに留意されたい。Ｓ３０１の後、Ｓ３０２からＳ３０５が最初に実行されてよく、次にＳ３０６が実行される。又は、Ｓ３０６が最初に実行されてよく、次にＳ３０２からＳ３０５が実行される。
【０１３８】
Ｓ３０７において、第１のチャネルに必要な送信電力とｎ個の第２のチャネルに必要な送信電力とにより、ＵＥの合計送信電力がＵＥの最大送信電力より大きくなる場合、ＵＥは、第１のチャネルの優先度と、ｎ個の第２のチャネルの優先度とに従って、少なくとも第１のチャネルに送信電力を割り当てる。
【０１３９】
ＵＥが、ｍ個の第２のサブフレームにおいてｍ個の第２のチャネルと、ｎ−ｍ個の第２のサブフレームにおいてｎ−ｍ個の第２のチャネルとを決定した後で、第１のチャネルに必要な送信電力とｎ個の第２のチャネルに必要な送信電力とによりＵＥの合計送信電力がＵＥの最大送信電力より大きくなる場合、ＵＥは、第１のチャネルの優先度とｎ個の第２のチャネルの優先度とに従って、少なくとも第１のチャネルに送信電力を割り当てる。
【０１４０】
さらに、第１のチャネルに必要な送信電力は、電力制御コマンド情報及び経路損失値のような情報に従って、ＵＥによって算出される。ここで、電力制御コマンド情報は、ＵＥのダウンリンクサブフレームを用いることによって、第１の基地局又は第２の基地局によって送信される。ｎ個の第２のチャネルに必要な送信電力は、ｎ個のチャネルの電力制御コマンド情報及び経路損失値のような情報に従って、ＵＥによって別個に算出される。ここで、電力制御コマンド情報は、第２のＴＡＧが位置する第１の基地局又は第２の基地局によって、ＵＥのダウンリンクサブフレームを用いることによって送信される。
【０１４１】
ＵＥは、第１のチャネルに必要な送信電力とｎ個の第２のチャネルに必要な送信電力とにより、ＵＥの合計送信電力がＵＥの最大送信電力より大きくなるか否かを最初に決定し、ＵＥの合計送信電力がＵＥの最大送信電力より大きい場合、ＵＥは、第１のチャネルの優先度とｎ個の第２のチャネルの優先度とに従って、少なくとも第１のチャネルに送信電力を割り当てることが理解されよう。
【０１４２】
具体的には、（１）ｎ＝ｍの場合において、図４に示されるように、第１のサブフレームのサブフレーム番号がｉであり、ｍ個の第２のサブフレームにあり、かつ、終了時点が第１のサブフレームの終了時点と重複する全ての第２のサブフレームのサブフレーム番号がｊであり、ｍ個の第２のサブフレームにあり、かつ、開始時点が第１のサブフレームの開始時点と重複する第２のサブフレームのサブフレーム番号がｊ＋１であり、サブフレーム番号がｊである第２のサブフレームと、サブフレーム番号がｊ＋１である第２のサブフレームとが第２の基地局／第２のセルグループに属する場合に、ＵＥは、第１のチャネルに必要な送信電力とｎ個の第２のチャネルに必要な送信電力とに従って、少なくとも第１のチャネルに送信電力を割り当てる。図５に示されるように、詳細は、以下のＳ４０１からＳ４０３に示される。
【０１４３】
具体的な本実施形態において、サブフレームの開始時点が第１のサブフレームと重複することは、第２のサブフレームの第１のシンボルが第１のサブフレームと重複する又は部分的に重複するものとして理解されてよく、サブフレームの終了時点が第１のサブフレームと重複することは、第２のサブフレームの最後のシンボルが第１のサブフレームと重複する又は部分的に重複するものとして理解されてよいことに留意されたい。
【０１４４】
Ｓ４０１において、ＵＥは、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定する。ここで、第１の予め割り当てられた送信電力及び第２の予め割り当てられた送信電力により、ＵＥの合計送信電力が、ＵＥの最大送信電力より小さく又はこれに等しくなる。
【０１４５】
実際の適用において、ｉ及びｊの値は、０から９の整数であることに留意されたい。ｊ＋１が９より大きい場合、サブフレームｊ＋１のサブフレーム番号は、（ｊ＋１）ｍｏｄ１０であり、ｉ＋１が９より大きい場合、サブフレームｉ＋１のサブフレーム番号は（ｉ＋１）ｍｏｄ１０であり、ｊ−１が０より小さい場合、サブフレームｊ−１のサブフレーム番号は（ｊ−１）ｍｏｄ１０であり、ｉ−１が０より小さい場合、サブフレームｉ−１のサブフレーム番号は（ｉ−１）ｍｏｄ１０である。
【０１４６】
具体的には、ＵＥは、サブフレーム番号がｉであるサブフレームにおけるチャネルの優先度と、サブフレーム番号がｊであるサブフレームにおける少なくとも１つの第２のチャネルの優先度とに従って、高いチャネル優先度を有するチャネルに送信電力を予め割り当てる。サブフレーム番号がｉであるサブフレームにおけるチャネルの優先度がサブフレーム番号がｊであるサブフレームにおける第２のチャネルの優先度より高い場合に、ＵＥは、サブフレーム番号がｉであるサブフレームにおけるチャネルの予め割り当てられた送信電力を最初に決定する、すなわち、ＵＥは、第１のチャネルの第１の予め割り当てられた送信電力を決定し、次に、ｍ個の第２のチャネルの優先度に従って、ｍ個の第２のチャネルの第２の予め割り当てられた送信電力を別個に決定する。第１の予め割り当てられた送信電力及び第２の予め割り当てられた送信電力により、ＵＥの合計送信電力が、ＵＥの最大送信電力より小さく又はこれに等しくなる。予め割り当てられた送信電力は、サブフレーム番号がｊであるサブフレームにおける少なくとも１つの第２のチャネルの第２の予め割り当てられた送信電力を含んでよい。サブフレーム番号がｊであるサブフレームにおける少なくとも１つの第２のチャネルの優先度がサブフレーム番号がｉであるサブフレームにおけるチャネルの優先度、及びサブフレーム番号がｊであるサブフレームにおける、高い優先度を有する第２のチャネルを除くｍ−１個の第２のチャネルの優先度より高い場合に、ＵＥは、サブフレーム番号がｊであるサブフレームにおける高い優先度を有する第２のチャネルの第２の予め割り当てられた送信電力を最初に決定し、次に、ｍ−１個の第２のチャネルの優先度と、サブフレーム番号がｉであるサブフレームにおけるチャネルの優先度とに従って、サブフレーム番号がｉであるサブフレームにおける第１のチャネルの第１の予め割り当てられた送信電力を決定し、ｍ−１個の第２のチャネルの第２の予め割り当てられた送信電力を別個に決定する。第１の予め割り当てられた送信電力及び第２の予め割り当てられた送信電力により、ＵＥの合計送信電力が、ＵＥの最大送信電力より小さく又はこれに等しくなる。
【０１４７】
ＵＥが第１のチャネル及びｍ個の第２のチャネルに送信電力を割り当てる場合に、ＵＥの送信電力であり、かつ、第１のサブフレームセグメントにある送信電力の一部は、他のチャネルによって占有されてよいことに留意されたい。従って、ＵＥが、第１のチャネル及びｍ個の第２のチャネルに、第１の予め割り当てられた送信電力及び第２の予め割り当てられた送信電力を割り当てた後で、第１の予め割り当てられた送信電力、第２の予め割り当てられた送信電力、及び送信電力の占有された部分は、ＵＥの最大送信電力より小さい又はこれに等しい必要がある。すなわち、第１の予め割り当てられた送信電力及び第２の予め割り当てられた送信電力により、ＵＥの合計送信電力が、ＵＥの最大送信電力より小さく又はこれに等しくなる。
【０１４８】
ＵＥが同じ優先度を有する複数のチャネルに送信電力を予め割り当てる場合に、ＵＥは、同じ優先度を有する前述のチャネルに必要な送信電力を比例してスケーリングし、次に、同じ優先度を有するチャネルにスケーリングされた送信電力を割り当ててよいことに留意されたい。
【０１４９】
Ｓ４０２において、ＵＥは、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定する。ここで、第３の予め割り当てられた送信電力及び第４の予め割り当てられた送信電力により、ＵＥの合計送信電力が、ＵＥの最大送信電力より小さく又はこれに等しくなる。
【０１５０】
ＵＥが、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定した後で、ＵＥは、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定する。第３の予め割り当てられた送信電力及び第４の予め割り当てられた送信電力により、ＵＥの合計送信電力が、ＵＥの最大送信電力より小さく又はこれに等しくなる。
【０１５１】
ＵＥによって、サブフレーム番号がｉであるサブフレームにおけるチャネルの優先度と、サブフレーム番号がｊ＋１であるサブフレームにおける少なくとも１つの第２のチャネルの優先度に従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定する処理は、ＵＥによって、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定する処理に類似し、本明細書において再度説明されないことに留意されたい。
【０１５２】
任意に、サブフレーム番号がｊ＋１であるサブフレームにおける少なくとも１つの第２のチャネルの優先度は、サブフレーム番号がｉである第１のサブフレームにおける第１のチャネルの優先度より高い又はこれに等しい、及び／又は、サブフレーム番号がｊ＋１であるサブフレームにおける少なくとも１つの第２のチャネルの優先度は、サブフレーム番号がｉ＋１であるサブフレームにおけるチャネルの優先度より高い。サブフレーム番号がｉ＋１であるサブフレームにおけるチャネルは、サブフレーム番号がｉである第１のサブフレームの次のサブフレームにおけるチャネルである。
【０１５３】
Ｓ４０１及びＳ４０２を実行するシーケンスは、本発明の本実施形態において限定されるものではない。すなわち、Ｓ４０１が最初に実行されてよく、次にＳ４０２が実行される、又は、Ｓ４０２が最初に実行されてよく、次にＳ４０１が実行され、これは本発明に限定されるものではないことに留意されたい。
【０１５４】
Ｓ４０３において、ＵＥは、第１の予め割り当てられた送信電力及び第３の予め割り当てられた送信電力において、より小さい予め割り当てられた送信電力を、少なくとも第１のチャネルに割り当てられた送信電力として用いる。
【０１５５】
ＵＥが、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定した後で、ＵＥは、第１の予め割り当てられた送信電力及び第３の予め割り当てられた送信電力において、より小さい予め割り当てられた送信電力を、少なくとも第１のチャネルに割り当てられた送信電力として用いる。
【０１５６】
例示的に、第１の予め割り当てられた送信電力は１０ワットであり、第３の予め割り当てられた送信電力は８ワットであると仮定する。８ワットは１０ワットより小さいので、ＵＥは、第１のチャネルに８ワットの送信電力を割り当てる。
【０１５７】
（２）ｎ＞ｍの場合において、図６に示されるように、第１のサブフレームのサブフレーム番号がｉであり、サブフレーム番号がｉであるｎ−ｍ個の第２のサブフレームが存在し、ｍ個の第２のサブフレームにあり、かつ、終了時点が第１のサブフレームの終了時点と重複する全ての第２のサブフレームのサブフレーム番号がｊであり、ｍ個の第２のサブフレームにあり、かつ、開始時点が第１のサブフレームの開始時点と重複する第２のサブフレームのサブフレーム番号がｊ＋１であり、サブフレーム番号がｉであるｎ−ｍ個の第２のサブフレームと、サブフレーム番号がｉである第１のサブフレームとが第１の基地局／第１のセルグループに属し、サブフレーム番号がｊである第２のサブフレームと、サブフレーム番号がｊ＋１である第２のサブフレームとが第２の基地局／第２のセルグループに属する場合に、ＵＥは、第１のチャネルに必要な送信電力とｎ個の第２のチャネルに必要な送信電力とに従って、少なくとも第１のチャネルとｎ−ｍ個の第２のサブフレームとに送信電力を割り当てる。図７に示されるように、詳細は、以下のＳ５０１からＳ５０３において示される。
【０１５８】
Ｓ５０１において、ＵＥは、サブフレーム番号がｉである複数のサブフレームにおけるチャネルの優先度お、サブフレーム番号がｊである複数のサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｉである第２のサブフレームにおける少なくとも１つの第２のチャネル及びサブフレーム番号がｊである複数のサブフレームにおける少なくとも１つの第２のチャネルの第２の予め割り当てられた送信電力とを決定する。ここで、第１の予め割り当てられた送信電力及び第２の予め割り当てられた送信電力により、ＵＥの合計送信電力が、ＵＥの最大送信電力より小さく又はこれに等しくなる。
【０１５９】
ＵＥが基地局と共にデータ送信を実際に実行する場合、同じ基地局のダウンリンクサブフレームは同期するので、同じ基地局又は同じセルグループの複数のＴＡＧにおけるアップリンクサブフレームの開始時点の差は極めて小さく、例えば３２．４７マイクロ秒未満であることに留意されたい。例えば、図６に示されるように、開始時点の差が３２．４７マイクロ秒より小さいサブフレームは、同じサブフレーム番号を有してよい。従って、ｎ個の第２のチャネルにおける第２のチャネルが位置するサブフレームのサブフレーム番号はｉであり、第２のチャネルは、第１の基地局／第１のセルグループに属し、サブフレーム番号がｉである第１のサブフレームにおける第１のチャネルと重複する。
【０１６０】
具体的には、ＵＥは、サブフレーム番号がｉである複数のサブフレームにおけるチャネルの優先度と、サブフレーム番号がｊである複数のサブフレームにおける少なくとも１つの第２のチャネルの優先度とに従って、高いチャネル優先度を有するチャネルに送信電力を予め割り当てる。サブフレーム番号がｉであるサブフレームにおける第１のチャネルの優先度が、サブフレーム番号がｊである複数のサブフレームにおけるｍ個の第２のチャネル及びサブフレーム番号がｉである複数のサブフレームにおけるｎ−ｍ個の第２のチャネルの優先度より高い場合に、ＵＥは、サブフレーム番号がｉであるサブフレームにおける第１のチャネルの予め割り当てられた電力を最初に決定する。この場合、本発明の実施形態において決定された第１のチャネルは、サブフレーム番号がｉである複数のサブフレームにおける複数のチャネルにおいて最も高い優先度を有するチャネルであるので、ＵＥは、第１のチャネルの第１の予め割り当てられた送信電力を決定し、次に、ｎ個の第２のチャネルの優先度に従って、ｎ個の第２のチャネルに第２の予め割り当てられた送信電力を別個に割り当てる。第１の予め割り当てられた送信電力及び第２の予め割り当てられた送信電力により、ＵＥの合計送信電力が、ＵＥの最大送信電力より小さく又はこれに等しくなる。第２の予め割り当てられた送信電力は、サブフレーム番号がｊである複数のサブフレームにおけるｍ個の第２のチャネルの少なくとも１つの第２のチャネルの予め割り当てられた送信電力と、サブフレーム番号がｉである複数のサブフレームにおけるｎ−ｍ個の第２のチャネルの少なくとも１つの第２のチャネルの予め割り当てられた送信電力とを含んでよい。サブフレーム番号がｊである複数のサブフレームにおけるｍ個の第２のチャネルにおける第２のチャネルの優先度が、サブフレーム番号がｉである全てのサブフレームにおけるチャネルの優先度、及びサブフレーム番号がｊである複数のサブフレームにおけるｍ個の第２のチャネルにおける、高い優先度を有する第２のチャネルを除くｍ−１個の第２のチャネルの優先度より高い場合に、ＵＥは、サブフレーム番号がｊである複数のサブフレームにおけるｍ個の第２のチャネルにおいて高い優先度を有する第２のチャネルの第２の予め割り当てられた送信電力を最初に決定し、次に、ｍ−１個の第２のチャネルの優先度と、サブフレーム番号がｉである複数のサブフレームにおけるチャネルの優先度とに従って、サブフレーム番号がｉであるサブフレームにおける第１のチャネルの第１の予め割り当てられた送信電力と、サブフレーム番号がｉである複数のサブフレームにおける少なくとも１つの第２のチャネルの予め割り当てられた送信電力と、サブフレーム番号がｊである複数のサブフレームにおけるｍ−１個の第２のチャネルの少なくとも１つの第２のチャネルの予め割り当てられた送信電力とを決定する。サブフレーム番号がｊである複数のサブフレームにおける第２のチャネルの予め割り当てられた送信電力と、サブフレーム番号がｉである複数のサブフレームにおける第２のチャネルの予め割り当てられた送信電力とは、第２の予め割り当てられた送信電力と称される。第１の予め割り当てられた送信電力及び第２の予め割り当てられた送信電力により、ＵＥの合計送信電力が、ＵＥの最大送信電力より小さく又はこれに等しくなる。
【０１６１】
ＵＥが同じ優先度を有する複数のチャネルに送信電力を予め割り当てる場合に、ＵＥは、同じ優先度を有する前述のチャネルに必要な送信電力を比例してスケーリングし、次に、同じ優先度を有するチャネルにスケーリングされた送信電力を割り当ててよいことに留意されたい。
【０１６２】
Ｓ５０２において、ＵＥは、サブフレーム番号がｉである複数のサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｉである第２のサブフレームにおける少なくとも１つの第２のチャネル及びサブフレーム番号がｊであるサブフレームにおける少なくとも１つの第２のチャネルの第４の予め割り当てられた送信電力とを決定する。ここで、第３の予め割り当てられた送信電力及び第４の予め割り当てられた送信電力により、ＵＥの合計送信電力が、ＵＥの最大送信電力より小さく又はこれに等しくなる。
【０１６３】
Ｓ５０３において、ＵＥは、第１の予め割り当てられた送信電力及び第３の予め割り当てられた送信電力において、より小さい予め割り当てられた送信電力を、少なくとも第１のチャネルに割り当てられた送信電力として用いる。
【０１６４】
Ｓ３０８において、ＵＥは、第１のチャネルに割り当てられた送信電力に従って、第１のチャネルにおいて、第１の基地局にデータを送信する。
【０１６５】
第１のチャネルに必要な送信電力とｎ個の第２のチャネルに必要な送信電力とにより、ＵＥの合計送信電力がＵＥの最大送信電力より大きくなる場合において、ＵＥが第１のチャネルの優先度とｎ個の第２のチャネルの優先度とに従って、少なくとも第１のチャネルに送信電力を割り当てた後、ＵＥと第１の基地局／第１のセルグループとの間の通信を実装するように、ＵＥは、第１のチャネルに割り当てられた送信電力に従って、第１のチャネルにおいて、第１の基地局／第１のセルグループにデータを送信する。
【０１６６】
本発明の本実施形態は、電力割り当て方法を提供する。ＵＥは、第１のサブフレームにおいて第１のチャネルを決定する。ここで、第１のチャネルは、第１のＴＡＧに属し、第１のＴＡＧは、第１の基地局／第１のセルグループのＴＡＧである。ＵＥは、ｎ個の第２のサブフレームにおいてｎ個の第２のチャネルを決定する。ここで、ｎ個の第２のチャネルは、ｎ個の第２のサブフレームのｍ個の第２のサブフレームにおいてｍ個の第２のチャネル、及び／又は、サブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である。ＵＥは、第１のチャネルに必要な送信電力と、ｎ個の第２のチャネルに必要な送信電力とに従って、少なくとも第１のチャネルに送信電力を割り当てる。最後に、ＵＥは、第１のチャネルに割り当てられた送信電力に従って、第１のチャネルにおいて、第１の基地局／第１のセルグループにデータを送信する。この解決手段において、送信電力を第１のチャネルに割り当てる場合、非同期デュアル接続シナリオにおけるＵＥによって、基地局のＴＡＧにあり、かつ、アップリンクサブフレームにあるアップリンクチャネルに送信電力を割り当てる複雑さを低減するように、ＵＥは、第１のチャネルが位置する第１のサブフレームと重複時間を有する第２のサブフレームにおける全てのチャネルを考慮する必要はない。この解決手段は、実装が容易である。
【０１６７】
実施形態([０-９])
図８に示されるように、本発明の本実施形態は、ＵＥ側における電力割り当て方法に対応するＵＥ１を提供する。ＵＥ１は、
第１のサブフレームにおいて第１のチャネルを決定するように構成される決定ユニット１０であって、第１のチャネルは、第１のＴＡＧに属し、第１のＴＡＧは、第１の基地局／第１のセルグループのＴＡＧであり、決定ユニット１０は、ｎ個の第２のサブフレームにおいてｎ個の第２のチャネルを決定するようにさらに構成され、ｎ個の第２のチャネルは、ｎ個の第２のサブフレームのｍ個の第２のサブフレームにおいてｍ個の第２のチャネル、及び／又はサブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である、決定ユニット１０と、
決定ユニット１０によって決定された第１のチャネルに必要な送信電力と、決定ユニット１０によって決定されたｎ個の第２のチャネルに必要な送信電力とに従って、少なくとも第１のチャネルに送信電力を割り当てるように構成される割り当てユニット１１と、
割り当てユニット１１によって第１のチャネルに割り当てられた送信電力に従って、第１のチャネルにおいて、第１の基地局／第１のセルグループにデータを送信するように構成される送信ユニット１２と、
を含んでよい。
【０１６８】
任意に、割り当てユニット１１は、具体的には、決定ユニット１０によって決定された第１のチャネルに必要な送信電力と決定ユニット１０によって決定されたｎ個の第２のチャネルに必要な送信電力とにより、ＵＥの合計送信電力がＵＥの最大送信電力より大きくなる場合に、決定ユニット１０によって決定された第１のチャネルの優先度と、決定ユニット１０によって決定されたｎ個の第２のチャネルの優先度とに従って、少なくとも第１のチャネルに送信電力を割り当てるように構成される。
【０１６９】
任意に、第１のサブフレームのサブフレーム番号がｉであり、ｍ個の第２のサブフレームにあり、かつ、終了時点が第１のサブフレームの終了時点と重複する全ての第２のサブフレームのサブフレーム番号がｊであり、ｍ個の第２のサブフレームにあり、かつ、開始時点が第１のサブフレームの開始時点と重複する第２のサブフレームのサブフレーム番号がｊ＋１であり、サブフレーム番号がｊである第２のサブフレームと、サブフレーム番号がｊ＋１である第２のサブフレームとが第２の基地局／第２のセルグループに属する場合に、
決定ユニット１０は、具体的には、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定し、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定するように構成され、第１の予め割り当てられた送信電力及び第２の予め割り当てられた送信電力により、ＵＥの合計送信電力が、ＵＥの最大送信電力より小さく又はこれに等しくなり、第３の予め割り当てられた送信電力及び第４の予め割り当てられた送信電力により、ＵＥの合計送信電力が、ＵＥの最大送信電力より小さく又はこれに等しくなり、
割り当てユニット１１は、さらに具体的には、少なくとも第１のチャネルに割り当てられた送信電力として、決定ユニット１０によって決定された第１の予め割り当てられた送信電力及び第３の予め割り当てられた送信電力において、より小さい予め割り当てられた送信電力を用いるように構成される。
【０１７０】
任意に、決定ユニット１０によって決定され、かつ、サブフレーム番号がｊ＋１であるサブフレームにある少なくとも１つの第２のチャネルの優先度は、サブフレーム番号がｉである第１のサブフレームにおける第１のチャネルの優先度より高い又はこれに等しく、及び／又は、サブフレーム番号がｊ＋１であるサブフレームにおける少なくとも１つの第２のチャネルの優先度は、サブフレーム番号がｉ＋１であるサブフレームにおけるチャネルの優先度より高く、サブフレーム番号がｉ＋１であるサブフレームにおけるチャネルは、サブフレーム番号がｉである第１のサブフレームの次のサブフレームにおけるチャネルである。
【０１７１】
任意に、決定ユニット１０は、さらに具体的には、事前設定された条件に従って、第１のサブフレームにおいて第１のチャネルを決定するように構成される。
【０１７２】
任意に、事前設定された条件は、第１の基地局／第１のセルグループにあり、かつ、サブフレーム番号が第１のサブフレームのサブフレーム番号と同じであるサブフレームにあるチャネルの優先度、又は、
第１の基地局／第１のセルグループにあり、かつ、サブフレーム番号が第１のサブフレームのサブフレーム番号と同じであるサブフレームにあるチャネルの送信時間
を含む。
【０１７３】
決定ユニット１０は、さらに具体的には、第１の基地局／第１のセルグループにあり、かつ、サブフレーム番号が第１のサブフレームのサブフレーム番号と同じであるサブフレームにあるチャネルの優先度に従って、第１のチャネルとして、第１の基地局／第１のセルグループにあり、かつ、サブフレーム番号が第１のサブフレームのサブフレーム番号と同じであるサブフレームにおいて最も高い優先度を有する少なくとも１つのチャネルの１つを決定する、又は、第１の基地局／第１のセルグループにあり、かつ、サブフレーム番号が第１のサブフレームのサブフレーム番号と同じであるサブフレームにあるチャネルの送信時間に従って、第１のチャネルとして、第１の基地局／第１のセルグループにあり、かつ、サブフレーム番号が第１のサブフレームのサブフレーム番号と同じであるサブフレームにおいて送信された第１の又は最後のチャネルであるチャネルを決定するように構成され、第１のチャネルが位置するサブフレームは、第１のサブフレームであり、第１のチャネルが位置するＴＡＧは、第１のＴＡＧである。
【０１７４】
任意に、事前設定された閾値は、第１の基地局又は第２の基地局によってシグナリングを用いることによって送信される、又は、予め定められる。
【０１７５】
本発明の本実施形態は、ＵＥを提供する。ＵＥは、第１のサブフレームにおいて第１のチャネルを決定する。ここで、第１のチャネルは、第１のＴＡＧに属し、第１のＴＡＧは、第１の基地局／第１のセルグループのＴＡＧである。ＵＥは、ｎ個の第２のサブフレームにおいてｎ個の第２のチャネルを決定する。ここで、ｎ個の第２のチャネルは、ｎ個の第２のサブフレームのｍ個の第２のサブフレームにおいてｍ個の第２のチャネル、及び／又は、サブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である。ＵＥは、第１のチャネルに必要な送信電力と、ｎ個の第２のチャネルに必要な送信電力とに従って、少なくとも第１のチャネルに送信電力を割り当てる。最後に、ＵＥは、第１のチャネルに割り当てられた送信電力に従って、第１のチャネルにおいて、第１の基地局／第１のセルグループにデータを送信する。この解決手段において、送信電力を第１のチャネルに割り当てる場合、非同期デュアル接続シナリオにおけるＵＥによって、基地局のＴＡＧにあり、かつ、アップリンクサブフレームにあるアップリンクチャネルに送信電力を割り当てる複雑さを低減するように、ＵＥは、第１のチャネルが位置する第１のサブフレームと重複時間を有する第２のサブフレームにおける全てのチャネルを考慮する必要はない。この解決手段は、実装が容易である。
【０１７６】
図９に示されるように、本発明の本実施形態は、基地局側における電力割り当て方法に対応する基地局２を提供する。基地局２は、
事前設定された閾値を決定するように構成される決定ユニット２０と、
決定ユニット２０によって決定された事前設定された閾値をＵＥに送信するように構成される送信ユニット２１であって、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる、送信ユニット２１と、
を含んでよい。
【０１７７】
任意に、事前設定された閾値は、送信のためにシグナリングにおいて伝送される。
【０１７８】
本発明の本実施形態は、基地局を提供する。基地局は、事前設定された閾値を決定し、事前設定された閾値をＵＥに送信し、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる。この解決手段において、基地局は、事前設定された閾値をＵＥに送信し、これにより、送信電力を第１のチャネルに割り当てる場合、非同期デュアル接続シナリオにおけるＵＥによって、基地局のＴＡＧにあり、かつ、アップリンクサブフレームにあるアップリンクチャネルに送信電力を割り当てる複雑さを低減するように、ＵＥは、第１のチャネルが位置する第１のサブフレームと重複時間を有する第２のサブフレームにおける全てのチャネルを考慮する必要はない。この解決手段は、実装が容易である。
【０１７９】
実施形態([０-９])
図１０に示されるように、本発明の本実施形態は、ＵＥ側における電力割り当て方法に対応するＵＥを提供する。ＵＥは、プロセッサ１３と、送信機１４と、受信機１５と、メモリ１６とを含んでよい。送信機１４、受信機１５、及びメモリ１６は、プロセッサ１３に接続される。例えば、送信機１４、受信機１５、及びメモリ１６は、バスを用いることによって、プロセッサ１３に接続されてよい。
【０１８０】
受信機１５及び送信機１４は、送受信機を構成するように一体化されてよい。
【０１８１】
プロセッサ１３は、中央処理装置又は特定用途向け集積回路であってよく、又は、本発明の本実施形態を実装する１つ又は複数の集積回路として構成される。
【０１８２】
プロセッサ１３は、ユーザ機器の制御センタである。プロセッサ１３は、様々なインタフェース及び配線を用いることによってユーザ機器全体の一部に接続され、ユーザ機器の様々な機能を実装し、メモリ１６に格納されたソフトウェアプログラム及び／又はモジュールを動作させる又は実行し、メモリ１６に格納されたデータを呼び出すことによって、データを処理するように構成される。プロセッサ１３は、ＩＣ（集積回路、ｉｎｔｅｇｒａｔｅｄ  ｃｉｒｃｕｉｔ）を含んでよい。例えば、プロセッサ１３は、単一のパッケージ化されたＩＣを含んでよく、又は、同じ機能もしくは異なる機能を有する複数のパッケージ化されたＩＣを接続することによって形成されてよい。
【０１８３】
メモリ１６は、ソフトウェアプログラム及びモジュールを格納するように構成されてよく、プロセッサ１３は、通信デバイスの様々な機能的アプリケーションを実装し、メモリ１６に格納されたソフトウェアプログラム及びモジュールを動作させることによってデータを処理するように構成される。メモリ１６は、主に、プログラム格納エリア及びデータ格納エリアを含む。プログラム格納エリアは、オペレーティングシステム、少なくとも１つの機能に必要なサウンド再生プログラム又は画像再生プログラムのようなアプリケーションプログラムを格納するように構成されてよい。データ格納エリアは、電子デバイス等の用途に従って形成される（音声データ又は電話帳のような）データを格納するように構成されてよい。
【０１８４】
具体的には、プロセッサ１３は、第１のサブフレームにおいて第１のチャネルを決定し、ｎ個の第２のサブフレームにおいてｎ個の第２のチャネルを決定し、第１のチャネルに必要な送信電力と、ｎ個の第２のチャネルに必要な送信電力とに従って、少なくとも第１のチャネルに送信電力を割り当てるように構成されてよい。ここで、第１のチャネルは、第１のタイミングアドバンスグループＴＡＧに属し、第１のＴＡＧは、第１の基地局／第１のセルグループのＴＡＧであり、ｎ個の第２のチャネルは、ｎ個の第２のサブフレームのｍ個の第２のサブフレームにおいてｍ個の第２のチャネル、及び／又はサブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である。送信機１４は、プロセッサ１３によって第１のチャネルに割り当てられた送信電力に従って、第１のチャネルにおいて、第１の基地局／第１のセルグループにデータを送信するように構成されてよい。受信機１５は、基地局によって送信されたデータ、スケジューリング情報等を受信するように構成されてよい。メモリ１６は、第１のチャネルのソフトウェアコード、ｎ個の第２のチャネルのソフトウェアコード、第１の予め割り当てられた送信電力、及び第２の予め割り当てられた送信電力を格納し、前述の処理のソフトウェアプログラムを完了させるようにＵＥを制御するように構成されてよく、これにより、プロセッサ１３は、前述のソフトウェアプログラムを実行し、前述のソフトウェアコードを呼び出すことによって前述の処理を完了させる。
【０１８５】
任意に、プロセッサ１３は、具体的には、第１のチャネルに必要な送信電力とｎ個の第２のチャネルに必要な送信電力とにより、ＵＥの合計送信電力がＵＥの最大送信電力より大きくなる場合に、第１のチャネルの優先度及びｎ個の第２のチャネルの優先度に従って、少なくとも第１のチャネルに送信電力を割り当てるように構成される。
【０１８６】
任意に、第１のサブフレームのサブフレーム番号がｉであり、ｍ個の第２のサブフレームにあり、かつ、終了時点が第１のサブフレームの終了時点と重複する全ての第２のサブフレームのサブフレーム番号がｊであり、ｍ個の第２のサブフレームにあり、かつ、開始時点が第１のサブフレームの開始時点と重複する第２のサブフレームのサブフレーム番号がｊ＋１であり、サブフレーム番号がｊである第２のサブフレームと、サブフレーム番号がｊ＋１である第２のサブフレームとが第２の基地局／第２のセルグループに属する場合に、
プロセッサ１３は、さらに具体的には、サブフレーム番号がｉであるサブフレームにおけるチャネルの優先度と、サブフレーム番号がｊであるサブフレームにおける少なくとも１つの第２のチャネルの優先度とに従って、サブフレーム番号がｉである第１のサブフレームにおける第１のチャネルの第１の予め割り当てられた送信電力と、サブフレーム番号がｊであるサブフレームにおける少なくとも１つの第２のチャネルの第２の予め割り当てられた送信電力とを決定し、サブフレーム番号がｉであるサブフレームにおけるチャネルの優先度と、サブフレーム番号がｊ＋１であるサブフレームにおける少なくとも１つの第２のチャネルの優先度とに従って、サブフレーム番号がｉである第１のサブフレームにおける第１のチャネルの第３の予め割り当てられた送信電力と、サブフレーム番号がｊ＋１であるサブフレームにおける少なくとも１つの第２のチャネルの第４の予め割り当てられた送信電力とを決定し、第１の予め割り当てられた送信電力及び第３の予め割り当てられた送信電力において、より小さい予め割り当てられた送信電力を、少なくとも第１のチャネルに割り当てられた送信電力として用いるように構成され、第１の予め割り当てられた送信電力及び第２の予め割り当てられた送信電力により、ＵＥの合計送信電力が、ＵＥの最大送信電力より小さく又はこれに等しくなり、第３の予め割り当てられた送信電力及び第４の予め割り当てられた送信電力により、ＵＥの合計送信電力が、ＵＥの最大送信電力より小さく又はこれに等しくなる。
【０１８７】
任意に、プロセッサによって決定され、かつ、サブフレーム番号がｊ＋１であるサブフレームにある少なくとも１つの第２のチャネルの優先度は、サブフレーム番号がｉである第１のサブフレームにおける第１のチャネルの優先度より高い又はこれに等しく、及び／又は、サブフレーム番号がｊ＋１であるサブフレームにおける少なくとも１つの第２のチャネルの優先度は、サブフレーム番号がｉ＋１であるサブフレームにおけるチャネルの優先度より高く、サブフレーム番号がｉ＋１であるサブフレームにおけるチャネルは、サブフレーム番号がｉである第１のサブフレームの次のサブフレームにおけるチャネルである。
【０１８８】
任意に、プロセッサ１３は、さらに具体的には、事前設定された条件に従って、第１のサブフレームにおいて第１のチャネルを決定するように構成される。
【０１８９】
任意に、事前設定された条件は、第１の基地局／第１のセルグループにあり、かつ、サブフレーム番号が第１のサブフレームのサブフレーム番号と同じであるサブフレームにあるチャネルの優先度、又は、
第１の基地局／第１のセルグループにあり、かつ、サブフレーム番号が第１のサブフレームのサブフレーム番号と同じであるサブフレームにあるチャネルの送信時間
を含む。
【０１９０】
プロセッサ１３は、さらに具体的には、第１の基地局／第１のセルグループにあり、かつ、サブフレーム番号が第１のサブフレームのサブフレーム番号と同じであるサブフレームにあるチャネルの優先度に従って、第１のチャネルとして、第１の基地局／第１のセルグループにあり、かつ、サブフレーム番号が第１のサブフレームのサブフレーム番号と同じであるサブフレームにおいて最も高い優先度を有する少なくとも１つのチャネルの１つを決定する、又は、第１の基地局／第１のセルグループにあり、かつ、サブフレーム番号が第１のサブフレームのサブフレーム番号と同じであるサブフレームにあるチャネルの送信時間に従って、第１のチャネルとして、第１の基地局／第１のセルグループにあり、かつ、サブフレーム番号が第１のサブフレームのサブフレーム番号と同じであるサブフレームにおいて送信された第１の又は最後のチャネルであるチャネルを決定するように構成され、第１のチャネルが位置するサブフレームは、第１のサブフレームであり、第１のチャネルが位置するＴＡＧは、第１のＴＡＧである。
【０１９１】
任意に、事前設定された閾値は、第１の基地局又は第２の基地局によってシグナリングを用いることによって送信される、又は、予め定められる。
【０１９２】
本発明の本実施形態は、ＵＥを提供する。ＵＥは、第１のサブフレームにおいて第１のチャネルを決定する。ここで、第１のチャネルは、第１のＴＡＧに属し、第１のＴＡＧは、第１の基地局／第１のセルグループのＴＡＧである。ＵＥは、ｎ個の第２のサブフレームにおいてｎ個の第２のチャネルを決定する。ここで、ｎ個の第２のチャネルは、ｎ個の第２のサブフレームのｍ個の第２のサブフレームにおいてｍ個の第２のチャネル、及び／又は、サブフレーム番号が第１のサブフレームのサブフレーム番号と同じであるｎ−ｍ個の第２のチャネルを含み、ｍ個の第２のサブフレームは、事前設定された閾値より長い第１のサブフレームとの重複時間、又は事前設定された閾値より長いもしくはこれに等しい第１のサブフレームとの重複時間を有するサブフレームであり、ｎ個の第２のチャネルは、少なくとも１つの第２のＴＡＧに属し、少なくとも１つの第２のＴＡＧは、第１のセットに属し、第１のセットは、第１の基地局／第１のセルグループの第１のＴＡＧを除くＴＡＧと、第２の基地局／第２のセルグループの全てのＴＡＧとを含み、ｎ≧ｍ≧１であり、ｍ及びｎは正の整数である。ＵＥは、第１のチャネルに必要な送信電力と、ｎ個の第２のチャネルに必要な送信電力とに従って、少なくとも第１のチャネルに送信電力を割り当てる。最後に、ＵＥは、第１のチャネルに割り当てられた送信電力に従って、第１のチャネルにおいて、第１の基地局／第１のセルグループにデータを送信する。この解決手段において、送信電力を第１のチャネルに割り当てる場合、非同期デュアル接続シナリオにおけるＵＥによって、基地局のＴＡＧにあり、かつ、アップリンクサブフレームにあるアップリンクチャネルに送信電力を割り当てる複雑さを低減するように、ＵＥは、第１のチャネルが位置する第１のサブフレームと重複時間を有する第２のサブフレームにおける全てのチャネルを考慮する必要はない。この解決手段は、実装が容易である。
【０１９３】
図１１に示されるように、本発明の本実施形態は、基地局側における電力割り当て方法に対応する基地局を提供する。基地局は、送信機２２と、受信機２３と、プロセッサ２４と、メモリ２５とを含んでよい。送信機２２、受信機２３、及びメモリ２５は、プロセッサ２４に接続される。例えば、送信機２２、受信機２３、及びメモリ２５は、バスを用いることによって、プロセッサ２４に接続されてよい。
【０１９４】
受信機２３及び送信機２２は、送受信機を構成するように一体化されてよい。
【０１９５】
プロセッサ２４は、中央処理装置又は特定用途向け集積回路であってよく、又は、本発明の本実施形態を実装する１つ又は複数の集積回路として構成される。
【０１９６】
メモリ２５は、実行可能プログラムコードを格納するように構成されてよい。ここで、プログラムコードは、複数のコンピュータオペレーション命令を含む。メモリ２５は、高速ＲＡＭメモリを含んでよく、不揮発性メモリ、例えば、少なくとも１つのディスクメモリをさらに含んでよい。
【０１９７】
具体的には、プロセッサ２４は、事前設定された閾値を決定するように構成されてよい。送信機２２は、プロセッサ２４によって決定された事前設定された閾値をＵＥに送信するように構成されてよく、これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる。受信機２３は、ＵＥによって送信されたデータを受信するように構成されてよい。メモリ２５は、事前設定された閾値と、事前設定された閾値のソフトウェアコードを格納し、前述の処理のソフトウェアプログラムを完了させるよう基地局を制御するように構成されてよく、これにより、プロセッサ２４は、前述のソフトウェアプログラムを実行し、前述のソフトウェアコードを呼び出すことによって、前述の処理を完了させるように構成される。
【０１９８】
任意に、事前設定された閾値は、送信のためにシグナリングにおいて伝送される。
【０１９９】
本発明の本実施形態は、基地局を提供する。基地局は、事前設定された閾値を決定し、事前設定された閾値をＵＥに送信する。これにより、ＵＥは、第１のサブフレームにおいて第１のチャネルを決定し、事前設定された閾値に従って、第１のサブフレームと重複時間を有するｍ個の第２のサブフレームにおいてｍ個の第２のチャネル、及び／又はｎ−ｍ個の第２のサブフレームにおいてｎ−ｍ個の第２のチャネルを決定し、第１のチャネルに必要な送信電力と、ｎ個の第２のチャネルに必要な送信電力とに従って、少なくとも第１のチャネルに送信電力を割り当てる。この解決手段において、基地局は、事前設定された閾値をＵＥに送信し、これにより、送信電力を第１のチャネルに割り当てる場合、非同期デュアル接続シナリオにおけるＵＥによって、基地局のＴＡＧにあり、かつ、アップリンクサブフレームにあるアップリンクチャネルに送信電力を割り当てる複雑さを低減するように、ＵＥは、第１のチャネルが位置する第１のサブフレームと重複時間を有する第２のサブフレームにおける全てのチャネルを考慮する必要はない。この解決手段は、実装が容易である。
【０２００】
当業者であれば、前述の機能モジュールの分割を、説明の便宜及び簡潔性を目的とした説明例として受け取ることが、明確に理解されよう。実際の適用において、前述の機能は、異なる機能モジュールに割り当てられ、要件に従って実装されてよい。すなわち、装置の内部構造は、異なる機能モジュールに分割され、上述された機能の全て又はいくつかを実装する。前述のシステム、装置、及びユニットの詳細な動作処理のために、前述の方法の実施形態における対応する処理が参照されてよく、詳細は本明細書において再度説明されない。
【０２０１】
本願において提示されるいくつかの実施形態において、開示されたシステム、装置、及び方法は、他の態様で実装されてよいことを理解されたい。例えば、説明された装置の実施形態は、単なる例示である。例えば、モジュール又はユニットの分割は、単なる論理的機能の分割であり、実際の実装においては他の分割であってよい。例えば、複数のユニット又はコンポーネントは、組み合わせられ又は一体化されて他のシステムを構成してよく、又は、いくつかの機能は無視され、もしくは実行されなくてよい。さらに、表示又は説明された相互結合又は直接結合又は通信接続は、いくつかのインタフェースを用いることによって実装されてよい。複数の装置間又は複数のユニット間における間接結合又は通信接続は、電子的、機械的、又は他の形式で実装されてよい。
【０２０２】
別個の部分として説明される複数のユニットは、物理的に別個であってよく、又はそうでなくてもよい。複数のユニットとして表示される複数の部分は、複数の物理的なユニットであっても、又はそうでなくてもよく、１つの位置に位置すてよく、又は複数のネットワークユニット上に分散されてもよい。複数のユニットのいくつか又は全てが、実施形態の解決手段の目的を実現するように、実際の必要性に従って選択されてよい。
【０２０３】
さらに、本発明の複数の実施形態における複数の機能ユニットは、１つの処理ユニットに一体化されてよく、又は複数のユニットの各々が物理的に単独で存在してよく、又は２つより多くのユニットが１つのユニットに一体化される。一体化されたユニットは、ハードウェアの形で実装されてよく、又はソフトウェア機能ユニットの形で実装されてよい。
【０２０４】
一体化されたユニットがソフトウェア機能ユニットの形で実装され、別個の製品として販売又は使用される場合、一体化されたユニットは、コンピュータ可読記憶媒体に格納されてよい。このような理解に基づいて、本質的に本発明の技術的解決手段、又は従来技術に寄与する部分、又は技術的解決手段の全てもしくは一部が、ソフトウェア製品の形で実装されてよい。ソフトウェア製品は、記憶媒体に格納され、本発明の複数の実施形態で説明された方法の段階の全て又は一部を実行するように、コンピュータデバイス（パーソナルコンピュータ、サーバ、もしくはネットワークデバイスであってよい）又はプロセッサに命令するいくつかの命令を含む。前述の記憶媒体は、プログラムコードを格納し得る、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクのような任意の媒体を含む。
【０２０５】
前述の説明は、本発明の具体的な実装態様に過ぎず、本発明の保護範囲を限定することを意図するものではない。当業者によって、本発明において開示された技術的範囲内で容易に想到されるあらゆる変形又は置換は、本発明の保護範囲に属する。従って、本発明の保護範囲は、特許請求の範囲の保護範囲によって定められる。
【図１】
0006383999.tif 000002
【図２】
0006383999.tif 000003
【図３】
0006383999.tif 000004
【図４】
0006383999.tif 000005
【図５】
0006383999.tif 000006
【図６】
0006383999.tif 000007
【図７】
0006383999.tif 000008
【図８】
0006383999.tif 000009
【図９】
0006383999.tif 000010
【図１０】
0006383999.tif 000011
【図１１】
0006383999.tif 000012